(57)【特許請求の範囲】
【請求項１】
撮影部位の情報、撮像条件、照射条件、画像処理条件及び出力条件の少なくとも１つを含む第一の撮影プロトコル情報を含む検査オーダ情報を取得する検査取得手段と、
前記検査オーダ情報に含まれる第一の撮影プロトコル情報に基づき得られる撮影画像を外部に出力する出力手段と、
前記出力手段により出力された撮影画像を受信した外部の装置からの指示に基づく追加撮影の第二の撮影プロトコル情報を取得する追加プロトコル取得手段と、
前記第二の撮影プロトコル情報を前記検査オーダ情報に含まれる第一の撮影プロトコル情報とともに表示させる表示制御手段と、
前記外部の装置からの指示情報を受信する受信手段と、を有し、
前記表示制御手段は、前記第二の撮影プロトコル情報の前記第一の撮影プロトコル情報に対する表示配置を定め、前記指示情報に撮影の優先度を示す情報が含まれる場合に、該優先度に応じて、追加撮影の指示があったことを示す表示と前記第二の撮影プロトコル情報の表示形態との少なくともいずれかを制御する
ことを特徴とする撮影制御装置。
【請求項２】
撮影部位の情報、撮像条件、照射条件、画像処理条件及び出力条件の少なくとも１つを含む第一の撮影プロトコル情報を含む検査オーダ情報を取得する検査取得手段と、
前記検査オーダ情報に含まれる第一の撮影プロトコル情報に基づき得られる撮影画像を外部に出力する出力手段と、
前記出力手段により出力された撮影画像を受信した外部の装置からの指示に基づく追加撮影の第二の撮影プロトコル情報を取得する追加プロトコル取得手段と、
前記外部の装置からの指示情報を受信する受信手段と、
既に撮像条件及び照射条件の少なくともいずれかが撮影部及び照射部の少なくともいずれかに設定済みでありかつ撮影が未実行である場合に、前記第二の撮影プロトコル情報に対応する撮影の優先度を示す情報に応じて、該第二の撮影プロトコル情報に含まれる新たな撮像条件及び照射条件の少なくともいずれかで、設定済みの撮像条件及び照射条件の少なくともいずれかを上書き設定する設定手段と、
を有することを特徴とする撮影制御装置。
【請求項３】
前記表示制御手段は、前記第一の撮影プロトコル情報を含む検査オーダ情報が表示されている状態で、前記追加プロトコル取得手段により前記第二の撮影プロトコル情報が取得された場合に、前記第一の撮影プロトコル情報と並べて前記第二の撮影プロトコル情報を表示させることを特徴とする請求項１に記載の撮影制御装置。
【請求項４】
前記表示制御手段は、表示画面の所定の領域に前記第一の撮影プロトコル情報を表示させ、
前記表示制御手段は、前記所定の領域に、前記第一の撮影プロトコル情報に加えて前記第二の撮影プロトコル情報を表示させることを特徴とする請求項１乃至３のいずれか１項に記載の撮影制御装置。
【請求項５】
前記表示制御手段は、前記第二の撮影プロトコル情報を、前記検査オーダ情報に含まれる第一の撮影プロトコル情報と区別可能に表示させることを特徴とする請求項１乃至４のいずれか１項に記載の撮影制御装置。
【請求項６】
前記表示制御手段は、前記検査オーダ情報に含まれる複数の第一の撮影プロトコル情報が順に並べて表示されている状態において、前記追加撮影の第二の撮影プロトコル情報が、複数の第一の撮影プロトコル情報のうち１の撮影プロトコル情報の再撮影に係る撮影プロトコル情報である場合には、該１の撮影プロトコル情報の隣に該第二の撮影プロトコル情報が表示されるようにすることを特徴とする請求項１乃至７のいずれか１項に記載の撮影制御装置。
【請求項７】
表示部に前記第一の撮影プロトコル情報を含む検査オーダ情報が表示されている状態で、前記追加プロトコル取得手段による前記第二の撮影プロトコル情報の取得か、前記外部の装置からの前記指示の受信のいずれかがあった場合に、追加撮影の指示があったことをユーザに通知する通知手段をさらに有することを特徴とする請求項１乃至６のいずれか１項に記載の撮影制御装置。
【請求項８】
前記通知手段は、追加撮影の指示があったことを示す情報とともに、撮影プロトコルを追加するか否かを指示する操作入力を受け付けるための項目を表示部に表示させることを特徴とする請求項７に記載の撮影制御装置。
【請求項９】
前記出力手段は、撮影プロトコルの追加を指示する操作入力を受け付けることに応じて追加撮影が了承されたことを示す情報を出力し、撮影プロトコルを追加しないことを指示する操作入力を受け付けることに応じて当該追加撮影が拒否されたことを示す情報を出力することを特徴とする請求項７に記載の撮影制御装置。
【請求項１０】
前記外部の装置からの指示情報を受信する受信手段をさらに有し、
前記追加プロトコル取得手段は、指示情報に基づいて追加撮影の第二の撮影プロトコル情報を取得することを特徴とする請求項１乃至９のいずれか１項に記載の撮影制御装置。
【請求項１１】
前記追加プロトコル取得手段は、前記指示情報に画像の識別情報が含まれる場合に、該識別情報で特定される画像の撮影プロトコル情報に基づいて前記第二の撮影プロトコル情報を取得することを特徴とする請求項１０に記載の撮影制御装置。
【請求項１２】
前記追加撮影の第二の撮影プロトコル情報が、前記第一の撮影プロトコル情報の再撮影に係る撮影プロトコル情報であるか否かを判定する判定手段をさらに有し、
前記第二の撮影プロトコル情報が、再撮影に係る撮影プロトコル情報であると判定された場合に、前記第一の撮影プロトコル情報に対応する前記撮影画像が写損であることを示す表示を表示させる写損表示手段をさらに有することを特徴とする請求項１乃至１１のいずれか１項に記載の撮影制御装置。
【請求項１３】
前記追加プロトコル取得手段により取得される前記第二の撮影プロトコル情報に関連付ける検査オーダ情報を特定する特定手段をさらに有することを特徴とする請求項１乃至１２のいずれか１項に記載の撮影制御装置。
【請求項１４】
請求項１乃至１３のいずれか１項に記載の撮影制御装置と、
前記撮影プロトコル情報に基づいて被写体の画像を得る撮影部と、
を有することを特徴とする撮影装置。
【請求項１５】
撮影部位の情報、撮像条件、照射条件、画像処理条件及び出力条件の少なくとも１つを含む第一の撮影プロトコル情報を含む検査オーダ情報を取得する検査取得手段と、
前記検査オーダ情報に含まれる第一の撮影プロトコル情報に基づいて撮影画像を取得する画像取得手段と、
前記画像取得手段により取得された撮影画像を表示部に表示させた外部の装置からの指示に基づく追加撮影の第二の撮影プロトコル情報を取得する追加プロトコル取得手段と、
前記第二の撮影プロトコル情報を前記検査オーダ情報に含まれる第一の撮影プロトコル情報とともに表示させる表示制御手段と、
前記外部の装置からの指示情報を受信する受信手段と、を有し、
前記表示制御手段は、前記第二の撮影プロトコル情報の前記第一の撮影プロトコル情報に対する表示配置を定め、前記指示情報に撮影の優先度を示す情報が含まれる場合に、該優先度に応じて、追加撮影の指示があったことを示す表示と前記第二の撮影プロトコル情報の表示形態との少なくともいずれかを制御する
ことを特徴とする撮影制御システム。
【請求項１６】
撮影部位の情報、撮像条件、照射条件、画像処理条件及び出力条件の少なくとも１つを含む第一の撮影プロトコル情報を含む検査オーダ情報と、該検査オーダ情報に係る撮影の被検者情報とを表示部に表示させるステップと、
前記検査オーダ情報に含まれる第一の撮影プロトコル情報に基づき得られる撮影画像を外部に出力するステップと、
前記出力された撮影画像を受信した外部の装置からの指示に基づく追加撮影の第二の撮影プロトコル情報を取得するステップと、
前記第二の撮影プロトコル情報を前記検査オーダ情報に含まれる第一の撮影プロトコル情報とともに表示させるステップと、
前記外部の装置からの指示情報を受信するステップと、を有し、
前記第二の撮影プロトコル情報の前記第一の撮影プロトコル情報に対する表示配置を定め、前記指示情報に撮影の優先度を示す情報が含まれる場合に、該優先度に応じて、追加撮影の指示があったことを示す表示と前記第二の撮影プロトコル情報の表示形態との少なくともいずれかを制御するステップを含む
ことを特徴とする撮影制御方法。
【請求項１７】
請求項１６に記載の撮影制御方法をコンピュータに実行させるためのプログラム。
【発明の詳細な説明】
【技術分野】
【０００１】
本明細書の開示は、撮影制御装置、撮影装置、撮影制御システム、画像表示装置、撮影制御方法、情報処理方法、及びプログラムに関する。
【背景技術】
【０００２】
近年医療機関では、複数の装置を通信ネットワークで接続した医療情報システムが構築されている。例えば、Ｘ線撮影を行う場合には、ＨＩＳ（Ｈｏｓｐｉｔａｌ  Ｉｎｆｏｒｍａｔｉｏｎ  Ｓｙｓｔｅｍ）端末やＲＩＳ（Ｒａｄｉｏｌｏｇｙ  Ｉｎｆｏｒｍａｔｉｏｎ  Ｓｙｓｔｅｍ）端末より検査指示を入力し、依頼先である放射線部門に伝達する。これらのネットワーク通信は例えば、ＩＨＥ（Ｉｎｔｅｇｒａｔｉｎｇ  ｔｈｅ  Ｈｅａｌｔｈｃａｒｅ  Ｅｎｔｅｒｐｒｉｓｅ）という医用標準規格ガイドラインに基づいたテクニカルフレームワークにより実現されている。
【０００３】
ＨＩＳまたはＲＩＳに登録された依頼情報を検査オーダといい、この検査オーダには依頼元の部門名や、検査項目、患者の個人データなどが含まれる。Ｘ線撮影システムでは、かかる検査オーダに応じて、撮影のための各種条件を含む撮影プロトコル情報を得る。ここで撮影プロトコル情報とは、医師により要求された撮影部位や撮影方法、画像処理の情報等を含む情報である。得られた複数の撮影プロトコル情報に従い検査が進行する。撮影により得られた画像は、例えば画像品質検査用端末へ転送される。
【０００４】
画像品質検査用端末では、転送されてきた撮影画像を画面に表示する。検査技師はその画像を見て、医師による読影に適した品質であるかどうかを判断する。読影に適していると検査技師が判断した場合、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）と呼ばれる医用画像管理システムへ撮影画像を転送し、保存する。一方、読影に適していないと判断した場合、その撮影画像をＰＡＣＳへ転送せず、Ｘ線撮影システムの操作担当である撮影技師へ再撮影を指示するメッセージを送信する（特許文献１）。
【先行技術文献】
【特許文献】
【０００５】
【特許文献１】特開２００６−５１１９８号公報
【発明の概要】
【発明が解決しようとする課題】
【０００６】
撮影装置外の画像確認用の端末から、ある検査についての追加撮影を指示する場合に、かかる指示の内容があいまいになる等の理由で、適切な追加撮影が行われない恐れがある。
【課題を解決するための手段】
【０００７】
そこで本発明の実施形態の１つに係る撮影制御装置は、撮影部位の情報、撮像条件、照射条件、画像処理条件及び出力条件の少なくとも１つを含む第一の撮影プロトコル情報を含む検査オーダ情報を取得する検査取得手段と、前記検査オーダ情報に含まれる第一の撮影プロトコル情報に基づき得られる撮影画像を外部に出力する出力手段と、前記出力手段により出力された撮影画像を受信した外部の装置からの指示に基づく追加撮影の第二の撮影プロトコル情報を取得する追加プロトコル取得手段と、前記第二の撮影プロトコル情報を前記検査オーダ情報に含まれる第一の撮影プロトコル情報とともに表示させる表示制御手段と、前記外部の装置からの指示情報を受信する受信手段と、を有し、前記表示制御手段は、前記第二の撮影プロトコル情報の前記第一の撮影プロトコル情報に対する表示配置を定め、前記指示情報に撮影の優先度を示す情報が含まれる場合に、該優先度に応じて、追加撮影の指示があったことを示す表示と前記第二の撮影プロトコル情報の表示形態との少なくともいずれかを制御することを特徴とする。
【発明の効果】
【０００８】
これにより、ユーザは追加撮影に係る撮影プロトコル情報を外部からの指示に基づき得ることができるため、適切な追加撮影を実行し易くなる。
【図面の簡単な説明】
【０００９】
【図１】実施形態１〜６に係る放射線撮影システムを適用したＸ線撮影システム１０１の一例を示す図。
【図２】実施形態１に係るＸ線撮影制御部１１２の機能的な構成の一例を示す図。
【図３】実施形態１〜６に係る撮影プロトコル情報追加前の撮影画面の一例を示す図。
【図４】実施形態１〜６に係る撮影プロトコル情報追加前の撮影画面の一例を示す図。
【図５】実施形態１〜６に係る検査開始から終了までの一例を示すフローチャート。
【図６】実施形態１〜６に係る検像処理の一例を示すフローチャート。
【図７】実施形態１に係る外部撮影指示受信時の処理の一例を示すフローチャート。
【図８】実施形態１に係る撮影プロトコル情報指定処理の一例を示すフローチャート。
【図９】実施形態１〜６に係る追加撮影プロトコル情報の挿入位置指定処理の一例を示すフローチャート。
【図１０】実施形態１〜６に係る撮影プロトコル情報追加後の撮影画面の一例を示す図。
【図１１】実施形態１〜６に係る撮影プロトコル情報追加後の撮影画面の一例を示す図。
【図１２】実施形態１〜６に係る撮影プロトコル情報追加後の撮影画面の一例を示す図。
【図１３】実施形態１〜６に係る撮影プロトコル情報追加後の撮影画面の一例を示す図。
【図１４】実施形態１〜６に係る撮影プロトコル情報追加後の撮影画面の一例を示す図。
【図１５】実施形態１〜６に係る優先撮影準備処理の一例を示すフローチャート。
【図１６】実施形態１〜６に係る撮影準備処理の一例を示すフローチャート。
【図１７】実施形態１に係る撮影プロトコル情報追加通知処理の一例を示すフローチャート。
【図１８】実施形態１に係る撮影プロトコル情報追加通知の具体処理の一例を示すフローチャート。
【図１９】実施形態１〜３に係る撮影プロトコル情報追加通知画面の一例を示す図。
【図２０】実施形態１〜６に係るキャンセル指示処理の一例を示すフローチャート。
【図２１】実施形態１〜４に係るキャンセル指示処理の一例を示すフローチャート。
【図２２】実施形態１〜６に係るキャンセル指示処理の一例を示すフローチャート。
【図２３】実施形態２に係る撮影プロトコル情報追加通知の具体処理の一例を示すフローチャート。
【図２４】実施形態３に係る撮影プロトコル情報追加通知の具体処理の一例を示すフローチャート。
【図２５】実施形態４に係る撮影プロトコル情報指定処理の一例を示すフローチャート。
【図２６】実施形態４に係る撮影プロトコル情報追加判定画面の一例を示す図。
【図２７】実施形態５、６に係る検像処理の一例を示すフローチャート。
【図２８】実施形態５、６に係る撮影プロトコル情報指定処理の一例を示すフローチャート。
【図２９】実施形態５に係る撮影プロトコル情報選択画面の一例を示す図。
【図３０】実施形態５、６に係る撮影プロトコル情報追加後の撮影画面の一例を示す図。
【図３１】実施形態５、６に係る撮影プロトコル情報追加後の撮影画面の一例を示す図。
【図３２】実施形態６に係る撮影プロトコル情報選択画面の一例を示す図。
【発明を実施するための形態】
【００１０】
以下、本発明に係わる放射線撮影システム及びその処理方法の一実施の形態について添付図面を参照して詳細に説明する。なお、以下に示す実施形態においては、放射線としてＸ線を適用した場合を例に挙げて説明するが、放射線は、Ｘ線に限られず、例えば、電磁波やα線、β線、γ線などであってもよい。
【００１１】
〔実施形態１〕
本発明の実施形態に係る撮影システムの例を説明する。かかる撮影システムは被写体の撮影画像を得るシステムであって、次に述べる機能を有する。すなわち、撮影部位の情報、撮像条件、照射条件、画像処理条件及び出力条件の少なくとも１つを含む第一の撮影プロトコル情報を含む撮影情報（検査オーダ）と、該撮影情報に係る撮影の被検者情報とを表示部に表示させる。そして当該撮影情報に含まれる第一の撮影プロトコル情報に基づき得られる撮影画像を撮影システムの外部に出力する。その後、出力された撮影画像を受信した外部の装置からの指示に基づく追加撮影の第二の撮影プロトコル情報を取得する。そして、かかる第二の撮影プロトコル情報を前記撮影情報に含まれる第一の撮影プロトコル情報とともに表示させる。
【００１２】
かかる機能は例えば、後述するようなＣＰＵ（Ｃｅｎｔｒａｌ  Ｐｒｏｃｅｓｓｉｎｇ  Ｕｎｉｔ）、ＣＰＵにより実行されるプログラムを記憶するメモリ、当該プログラムがＣＰＵにより実行されるために展開されるＲＡＭ（Ｒａｎｄｏｍ  Ａｃｃｅｓｓ  Ｍｅｍｏｒｙ）、及びＣＰＵにより制御される通信回路により実現される。
【００１３】
かかる機能により、ある撮影情報についての追加撮影を、撮影画像を受信した装置からの指示に応じて実行される。しかも、かかる指示に基づく追加撮影のプロトコル情報が取得され、既存の撮影プロトコル情報とともに表示されるため、撮影プロトコル情報に含まれる各種条件の設定あるいは確認の手間を減らし、追加撮影の容易にあるいは迅速な実行に寄与する。
【００１４】
以下、実施形態に係る撮影システムの具体例を挙げて、かかるシステムの動作と、システムが有する上述の機能の詳細について述べる。
【００１５】
図１は撮影システムの一例であるＸ線撮影システム１０１を示す図である。
【００１６】
Ｘ線撮影システム１０１は、ＲＩＳ端末１０２と、検像端末１０３と、ＰＡＣＳ１０４と、Ｘ線撮影装置１０６とを具備して構成される。これら装置は、例えば、院内あるいは院外ネットワーク等の通信網１０５を介して接続されている。
【００１７】
ＲＩＳ端末１０２は、放射線部門内の情報システムである。Ｘ線撮影装置１０６は、Ｘ線デジタル画像（以下、撮影画像と呼ぶ）を撮影する。ＰＡＣＳ１０４は、Ｘ線撮影装置１０６により撮影された撮影画像を保存・管理する。そして検像端末１０３は、Ｘ線撮影装置１０６により撮影された撮影画像を表示する画像表示装置である。
【００１８】
ここで検像端末１０３は、Ｘ線撮影装置１０６から撮影画像と該撮影画像の被検者情報とを含む撮影情報を受信し、受信された撮影画像を表示部に表示させる。撮影情報に係る撮影についての追加撮影を指示する操作入力に応じてＸ、追加撮影に係る情報を線撮影装置１０６に送信する。ここで追加撮影に係る情報は、例えば、撮影部位の情報、撮像条件、照射条件、画像処理条件及び出力条件の少なくともいずれかと、該撮影情報の識別ＩＤとを含む指示情報、または撮影画像の画像ＩＤを含む指示情報の少なくともいずれかである。かかる機能により、撮影画像を表示可能な検像端末１０３からＸ線撮影装置１０６に対して追加撮影の指示を送信することができる。
【００１９】
この検像端末１０３は例えば図１に図示されるように、端末制御部１０３１と、端末表示部１０３２と、端末操作部１０３３とを含む。端末制御部１０３１はさらに、端末通信回路１０３４と、端末ＣＰＵ１０３５と、端末ＲＡＭ１０３６と、端末ＳＳＤ１０３７と、端末Ｉ／Ｆ１０３８とを含む。上述の機能は、端末ＳＳＤ１０３７に記憶されるコンピュータプログラムが、端末ＲＡＭ１０３６により展開され、端末ＣＰＵ１０３５により実行されることにより、端末ＣＰＵ１０３５と端末通信回路１０３４とを主体とする処理により実現される。かかる構成による情報処理の詳細は図６に記載のフローチャートを用いて後述する。
【００２０】
Ｘ線撮影装置１０６は、複数の撮影プロトコル情報から構成される検査オーダ（撮影情報）に基づいて検査（撮影）を進行する。撮影プロトコル情報各々は、撮影条件や、撮影画像に対して実施する画像処理の内容等が規定される。より詳細には、撮影時や画像処理時等の各種パラメータ情報、撮影実施情報等が含まれ、さらに撮影環境情報（センサ種類、撮影姿勢）が対応付けられている。
【００２１】
ここで、Ｘ線撮影装置１０６は、Ｘ線管球１０７と、撮影架台１０８と、センサ１０９と、照射制御部１１０と、撮影制御装置１１１と、表示部１１２と、操作部１１３とを具備して構成される。
【００２２】
Ｘ線管球１０７は、被写体（検査対象となる被検者）にＸ線を照射する照射部として機能する。照射制御部１１０は、撮影プロトコル情報に基づいてＸ線の発生を制御する。具体的には、撮影プロトコル情報に対応する撮影条件（例えば、管電流、管電圧、照射時間等のパラメータ）に基づいて、Ｘ線管球１０７に電圧を印加し、Ｘ線を発生させる。
【００２３】
撮影架台１０８は、センサ１０９を撮影のために保持する保持部として機能する。あるいはセンサ１０９と被検者の位置関係を調整する調整部として機能する。
【００２４】
センサ１０９は、放射線検出部として機能し、被検者を透過したＸ線を検出することによりＸ線画像を取得する撮影部である。センサ１０９により検出された被検者の透過Ｘ線量に相当する電荷をＡ／Ｄ変換するＡ／Ｄ変換部と、それを撮影画像として撮影制御装置１１１へ転送する通信回路とを有する。
【００２５】
表示部１１２は、例えば、ディスプレイ等で構成され、操作者に向けてシステム状態等を表示する。表示部１１２には、例えば、ＲＩＳ端末１０２から受信した検査オーダー（又は操作者が作成した検査オーダー）が表示される。操作部１１３は、例えば、キーボードやマウス、又は各種ボタン等で構成され、操作者からの指示を装置内に入力する。操作部１１３においては、例えば、検査開始の指示を入力する。
【００２６】
撮影制御装置１１１は、撮影プロトコル情報に基づいたＸ線撮影処理を統括的に制御する。例えば撮影制御装置１１１は、センサ１０９に対してセンサ１０９による撮像条件を送信することにより、センサ１０９の駆動を制御する。あるいはセンサ１０９における電力供給状態を制御するための信号を送信することにより、センサ１０９の動作を制御する。また撮影制御装置１１１は、センサ１０９により得られた撮影画像に対する画像処理を制御する。例えば、撮影画像に対して画像処理（例えば、補正処理、階調処理、周波数処理等）を施す。画像処理は、撮影時の撮影プロトコル情報に対応する画像処理パラメータを用いて行なわれる。また撮影制御装置１１１は、センサにより得られた撮影画像あるいは画像処理後の画像を表示部１１２に表示させる表示制御を行う。また撮影制御装置１１１は、例えばＲＩＳ端末１０２から受信した検査オーダの検査の進行状況や、撮影プロトコル情報夫々についての撮影の進行状況を示す情報を管理する。またあるいは、画像をＰＡＣＳの記憶部や検像端末１０３に対して出力させる制御他の通信制御を行う。
【００２７】
撮影制御装置１１１は例えば、通信回路１１１１と、１または複数のＣＰＵ１１１２と、ＲＡＭ１１１３と、ＳＳＤ（Ｓｏｌｉｄ  Ｓｔａｔｅ  Ｄｒｉｖｅ）１１１４と、Ｉ／Ｆ（Ｉｎｔｅｒｆａｃｅ）１１１５と、これらを通信可能に接続する内部バス１１１６とを有する電子計算機である。なお、ＣＰＵ１１１２以外のハードウェア回路も撮影制御装置１１１に複数設けられていてもよい。
【００２８】
通信回路１１１１は、センサ１０９、照射制御部１１０、通信網１０５と撮影制御装置１１１とを通信可能に接続する。なおＸ線撮影装置１０６内の通信に用いる通信回路と、通信網１０５を介した通信に用いる通信回路とを別々の通信回路で実行することとしてもよい。通信回路１１１１は、センサ１０９や照射制御部１１０に対し、撮像条件や照射条件等の撮影のための条件を示す情報を送信する。センサ１０９からは、撮影により得られる撮影画像を受信する。照射制御部１１０からは、実際に照射された放射線の情報を実施情報として受信する。また通信回路１１１１は、ＲＩＳ端末１０２から検査オーダの情報を受信する。検像端末１０３やＰＡＣＳ１０４に対しては撮影制御装置１１１により受信され、画像処理がされた撮影画像を送信する。また、検像端末１０３からは、追加撮影の指示情報を受信する。
【００２９】
ＳＳＤ１１１４には、ＲＡＭ１１１３により展開され、ＣＰＵ１１１２により実行される、コンピュータプログラムが記憶される。
【００３０】
Ｉ／Ｆ１１１５は例えばＵＳＢ（Ｕｎｉｖｅｒｓａｌ  Ｓｅｒｉａｌ  Ｂｕｓ）やＨＤＭＩ(登録商標)（Ｈｉｇｈ  Ｄｅｆｉｎｉｔｉｏｎ  Ｍｕｌｔｉｍｅｄｉａ  Ｉｎｔｅｒｆａｃｅ）等のインタフェースであり、表示部１１２や操作部１１３と撮影制御装置１１１とを接続する。
【００３１】
上述のコンピュータプログラムに従った制御により、上述したセンサ１０９の駆動や動作を制御する撮影制御、画像処理、表示制御、検査管理、通信制御等の各種制御を行う。以下簡単のため、それぞれの制御を、撮影制御部２５５、画像処理部２５６、表示制御部２５３、検査管理部２５２、通信制御部２５１の動作として説明する。かかる実施形態においてこれら各部はコンピュータプログラムとＣＰＵ１１１２が協働することにより実現される機能単位である。また別の実施形態に係る撮影制御装置１１１では、これら各部の一部または全部を、かかるプログラムの内容に対応するコンフィギュレーションデータを用いてＦＰＧＡによりハードウェア実装される。
【００３２】
また別実施形態では、例えば、表示制御部２５３は、ＣＰＵ１１１２の制御に応じて動作するＧＰＵ（Ｇｒａｐｈｉｃａｌ  Ｐｒｏｃｅｓｓｉｎｇ  ｕｎｉｔ）としてもよい。この場合ＧＰＵの出力端子に表示部１１２が接続されていてもよい。
【００３３】
また別の実施形態では、撮影制御部２５５を、リアルタイム性を重視して専用のハードウェア回路で実装されていてもよい。
【００３４】
図２に基づいて実施形態に係る撮影制御装置１１１の機能を説明する。
【００３５】
撮影制御装置１１１は例えば、検査取得部２０１と、検査記憶部２０２と、画像取得部２０３と、検査情報出力部２０４と、撮影指示受信部２０５と、撮影指示記憶部２０６と、プロトコル追加判定部２０７と、キャンセル指示部２０８と、追加プロトコル取得部２０９と、画像特定部２１０と、再撮影プロトコル特定部２１１と、状態変更部２１２と、理由変更部２１３と、通知部２１４と、位置指定部２１５と、撮影準備状態制御部２１６とを具備して構成される。これらは例えば、図２に図示されているように通信制御部２５１、検査管理部２５２、表示制御部２５３、記憶部２５４、撮影制御部２５５の機能としてもよい。例えば、通信制御部２５１には検査取得部２０１と、画像取得部２０３と、検査情報出力部２０４と、撮影指示受信部２０５とを含みうる。検査管理部２５２は、プロトコル追加判定部２０７と、キャンセル指示部２０８と、追加プロトコル取得部２０９と、画像特定部２１０と、再撮影プロトコル特定部２１１と、状態変更部２１２と、理由変更部２１３と、を含みうる。表示制御部２５３は、通知部２１４と、位置指定部２１５と、を含みうる。記憶部２５４は、検査記憶部２０２と、撮影指示記憶部２０６とを例えばメモリ中の記憶領域として含みうる。撮影制御部２５５は撮影準備制御部２１６を含みうる。
【００３６】
２０１は検査オーダ情報を取得する検査取得部である。検査オーダ情報（撮影情報）は撮影する患者情報と撮影内容を示す情報とから構成される。検査オーダ情報はＲＩＳ端末１０２などの外部システムから入力される。２０２は検査取得部２０１を通じてＲＩＳ端末１０２などの外部システムから入力された新規検査を記憶する検査記憶部である。新規検査を記憶しておくことでオフライン状態になった場合でも入力された検査オーダ情報を利用することができる。検査オーダ情報を構成する撮影プロトコル情報はリスト状に記憶されている。２０３はＸ線撮影装置１０６で撮影された放射線画像を取得する画像取得部である。ネットワークを介して入力される場合やＣＤ−ＲＯＭやＤＶＤなどのメディアを経由して入力される場合もある。２０４は画像や検査情報を、検像端末１０３やＰＡＣＳ１０４などの外部装置へ転送出力するための検査情報出力部である。
【００３７】
２０５は検像端末１０３など外部システムからの撮影指示を受信する撮影指示受信部である。２０６は撮影指示受信部２０５により受信された撮影指示を記憶する撮影指示記憶部である。２０７は撮影指示受信部２０５で入力された撮影指示による撮影プロトコル情報が追加可能かどうかを判定するプロトコル追加判定部である。２０８は撮影指示受信部２０５を介して撮影指示を入力した外部システムに対し、撮影プロトコル情報を追加できなかった旨の指示をするキャンセル指示部である。２０９は撮影指示受信部２０５で入力された撮影指示に基づき、検査オーダ情報に追加する撮影プロトコル情報を取得する追加プロトコル取得部である。追加される撮影プロトコルには新規追加のプロトコルと、既存の撮影プロトコルについての再撮影の撮影プロトコルがある。再撮影の場合には、再撮影に係る既存のプロトコルを特定する処理が行われる。２１０は撮影指示受信部２０５により受信された撮影指示に基き再撮影対象となる画像を特定する画像特定部である。２１１は画像特定部２１０により特定した再撮影対象画像に基き再撮影プロトコル情報を特定する再撮影プロトコル特定部である。追加プロトコル取得部２０９は例えば画像特定部２１０と再撮影プロトコル特定部２１１を含む。２１２は撮影画像の撮影成否状態を撮影成功または撮影失敗に変更する状態変更部である。２１３は撮影画像の撮影失敗理由を変更する理由変更部である。２１４は表示部１１２を介して操作者に撮影プロトコル情報が追加されたことを通知する通知部である。２１５は追加プロトコル取得部２０９で追加する撮影プロトコル情報について、検査オーダ情報に紐付くプロトコルのリストのどの位置に挿入するかを指定する位置指定部である。２１６は撮影プロトコル情報の撮影準備状態について制御を司る撮影準備制御部である。
【００３８】
かかる構成の撮影制御装置１１１が、図５−９、１５−１８、２０−２５、２７−２８、３４−３５、３９のフローチャートに記載の処理の主体の例である。また、特に表示制御部２５３によって図３，４、１０−１４、３０−３１に示す撮影画面の表示と、図１９、２６の追加撮影の指示の通知のためのウインドウの表示、図２９、３２の追加プロトコルの候補表示のためのウインドウの表示、が実現される。なお、これらの処理の流れ、画面またはウインドウの表示の詳細については後述する。
【００３９】
表示制御部２５３は例えば、撮影部位の情報、撮像条件、照射条件、画像処理条件及び出力条件の少なくとも１つを含む第一の撮影プロトコル情報を含む撮影情報と、該撮影情報に係る撮影の被検者情報とを、例えば図３、４等の表示画面に表示させる。図３の例で言えば、撮影プロトコル情報３０７、３１１、３１３、３１４等が第一の撮影プロトコル情報に対応する。
【００４０】
そして、追加撮影の撮影プロトコル情報（第二の撮影プロトコル情報）を撮影情報に含まれる第一の撮影プロトコル情報とともに例えば図１０の撮影プロトコル情報１００２のように表示させる。図１０の例で言えば、表示制御部２５３は、撮影画面３０１の検査オーダ表示領域３０６に第一の撮影プロトコル情報３０７を表示させる。そしてその検査オーダ表示領域３０６に、第一の撮影プロトコル情報３０７に加えて第二の撮影プロトコル情報１００２を表示させる。また別の観点では、第一の撮影プロトコル情報（例えば３０７）を含む撮影情報が表示されている状態で、第二の撮影プロトコル情報が取得された場合には、第一の撮影プロトコル情報と並べて前記第二の撮影プロトコル情報（１００２）を表示されることとなる。これにより、追加撮影の撮影プロトコルを既存の撮影プロトコルと同様に扱うことができ、ユーザの利便性が向上する。ここで実施形態の１つでは、表示制御部２５３は予め検査オーダ情報（撮影情報）に含まれていた撮影プロトコル情報と、外部からの指示に基づく追加撮影に係る撮影プロトコル情報とは、ユーザにより区別可能に表示させることとしている。これにより、例えばユーザは撮影プロトコル情報の由来を考慮して撮影の順序等を判定することができる。
【００４１】
表示制御部２５３は、例えば図３のような撮影画面３０１に追加の撮影プロトコル情報を表示するに当たり、既存の撮影プロトコル情報との関係でどのような位置に配置するか、表示配置を定める処理を行う。例えば表示配置の制御は、図３のようにリスト表示する場合には、各撮影プロトコル情報について番号を関連付けておき、当該番号順にリスト表示させることにより実現される。この場合、表示配置を示す情報は当該番号ということになる。
【００４２】
追加撮影の撮影プロトコルの配置には種々の形態がある。例えば、既存の撮影プロトコル情報に係る撮影を優先するという考え方から、例えば図１３に示すように表示制御部２５３は既存の撮影プロトコル情報の下側に追加撮影の撮影プロトコル情報を表示させることとする。例えば、既存の撮影プロトコル情報に表示配置を示す番号が連番で１からＮまで振られているとすると、追加撮影の撮影プロトコル情報には番号Ｎ＋１を付与することとする。あるいは、既存の撮影プロトコル情報について撮影制御装置１１１内で追加撮影が発意された場合には当該撮影制御装置１１１内からの指示に基づく撮影プロトコル情報には番号９９９９を関連付けてもよい。これにより、例外的な状況を除いて常にリストの最下位となるように表示配置が決定されることとなる。
【００４３】
また例えば、既存の撮影プロトコル情報に係る撮影よりも優先するために、表示制御部２５３は図１４に示すように既存の撮影プロトコルよりもリストで上位となるように追加撮影の撮影プロトコル情報を表示させることとする。これは外部からの指示に基づく撮影は、既に一度撮影された画像についての再撮影や、既に撮影された被検者を診断するに際して必要とされた追加撮影である可能性があるためである。この場合には、追加撮影の撮影プロトコル情報には番号１を付与することとする。
【００４４】
また、かかる表示配置を、関連する撮影プロトコルがまとまるように表示配置を定めてもよいし、各撮影プロトコル情報に対して定義される優先度を示す情報に基づいて定めることとしてもよい。また各撮影プロトコル情報に含まれる撮影部位や撮像に使用するセンサの種類の情報等を用いて、例えば撮影部位やセンサの種類が同じ撮影プロトコル情報は既存のものであっても追加撮影に係るものであっても連番となるように表示配置を決定してもよい。
【００４５】
例えば撮影情報に含まれる複数の第一の撮影プロトコル情報が順に並べて表示されている状態において、追加撮影の第二の撮影プロトコル情報が、複数の第一の撮影プロトコル情報のうち１の撮影プロトコル情報の再撮影に対応する場合を考える。かかる場合は、図１１を例に説明すると、複数の（第一の）撮影プロトコル情報３０７、３１１、３１３、３１４等が予め並べて表示され、撮影プロトコル情報３１３についての再撮影の（第二の）撮影プロトコル情報１００２が得られることに対応する。この場合は、表示制御部２５３は、（第一の）撮影プロトコル情報３１３の隣に（第二の）撮影プロトコル情報１００２が表示されるよう、表示配置を定める。このようにすることで、複数の撮影プロトコル情報がある中で、いずれの撮影プロトコル情報についての追加の撮影プロトコルであるのかを分かりやすくすることができる。
【００４６】
また例えば外部からの指示情報に撮影の優先度を示す情報が含まれる場合に、表示制御部２５３は、例えば図９のフローチャートに示す処理のように、当該優先度に応じて、追加撮影に係る第二の撮影プロトコル情報の表示形態を制御する。具体的には、かかる処理によって、追加撮影の撮影プロトコル情報の表示配置が定められる。検査オーダ表示領域３０６に表示される撮影プロトコル情報のリストで、追加撮影の撮影プロトコル情報は、優先度が高い場合には優先度が低い場合よりもより上位に配置されるように表示配置が定められる。
【００４７】
別の実施形態では、当該優先度に応じて、追加撮影の指示があったことを示す表示を制御する。例えば当該優先度を示すメッセージを表示させる。また例えば、当該優先度が高い場合には、次の撮影対象である撮影プロトコル情報が定められている場合であっても、追加撮影の指示があったことを示す図１９のようなウインドウを撮影画面に重畳して表示させることが考えられる。一方で優先度が低い場合、次の撮影対象である撮影プロトコル情報が定められているなら、当該撮影プロトコル情報に係る撮影が終了した後に、追加撮影の指示があったことを示す図１９のようなウインドウを撮影画面に重畳して表示させることが考えられる。
【００４８】
なお上述の表示配置を定める処理は、例えば位置指定部２１５により行われることとしてもよい。また、表示配置を定める処理は、表示制御部２５３の位置指定部２１５の機能として説明しているが、検査管理部２５２の機能としてもよい。
【００４９】
上述の優先度の情報を表示配置の決定以外にも用いることができる。実施形態の１つでは、上述した優先度が高い場合には、次の撮影対象である撮影プロトコル情報が既に指定されている場合であっても、当該撮影プロトコル情報に代えて、追加撮影の（第二の）撮影プロトコルが次の撮影対象として指定する。なおかかる機能は、図９のステップＳ９１０、図１４−１６に対応する。
【００５０】
この場合、撮影準備制御部２１６は、元々次の撮影対象であった（Ｒｅａｄｙ状態の）撮影プロトコル情報が指定されることに応じて、当該撮影プロトコル情報に含まれる撮像条件及び照射条件の少なくともいずれかを撮影部（センサ１０９）及びＸ線管球１０７の少なくともいずれかに設定する。しかしながら本実施形態では、かかる元々次の撮影対象であった撮影プロトコル情報での撮影が未実行である場合、追加撮影の（第二の）撮影プロトコル情報に含まれる撮像条件及び照射条件の少なくともいずれかで、設定済みの撮像条件及び照射条件の少なくともいずれかを上書き設定することとする。
【００５１】
同様に、次の撮影対象として指定された撮影プロトコル情報がない場合にも、追加撮影の（第二の）撮影プロトコル情報の優先度が高い場合には、当該追加撮影の（第二の）撮影プロトコル情報を、次の撮影対象として指定することとしてもよい。この場合にも、撮影制御部２５５の撮影準備制御部２１６は、追加撮影の（第二の）撮影プロトコル情報に含まれる撮像条件及び照射条件の少なくともいずれかを、当該撮影部（センサ１０９）やＸ線管球１０７に設定することとなる。このようにすることで、優先度が高い追加撮影については、外部からの撮影指示をトリガとして、撮影部または照射部の設定までを自動的に行うことも可能となり、追加撮影の効率を向上させることができる。
【００５２】
優先度の高低については、例えば優先度を１−３の３段階で定めておく。優先度が１の場合にはＲｅａｄｙ状態の撮影プロトコルよりも追加撮影の撮影プロトコルを優先して上述の上書き設定の処理を行うこととする。優先度が２、３の場合には、上述の上書き設定はしないこととする。また、優先度が３の場合には、優先度が低いと判定し、優先度が１，２の場合には、優先度が高いと判定して、上述の表示配置の決定処理や、上述のメッセージウインドウの表示制御を行うこととする。
【００５３】
ここで表示制御部２５３は、第一の撮影プロトコル情報を含む撮影情報が表示されている状態で、第二の撮影プロトコル情報が取得された場合に、追加撮影の指示があったことをユーザに通知する。かかる通知は、例えば表示制御部２５３の通知部２１４に係る機能に対応する。また別の実施形態では、通知部２１４は、表示とは異なる形態でユーザに対する通知を行う。例えば不図示の音響部から所定の音声を発することにより、追加撮影の指示があったことを通知する。別の観点で言えば、表示制御部２５３は、追加撮影に係る第二の撮影プロトコル情報を、検査オーダ情報（撮影情報）に予め含まれていた第一の撮影プロトコル情報と区別可能に表示させている。
【００５４】
図１０に示す例では、識別子１００３が追加撮影の撮影プロトコル情報１００２の表示領域内に表示されることで、ユーザに係る撮影プロトコル情報１００２は追加撮影の指示に係るものであり、既存の撮影プロトコル情報とは異なることが識別可能である。なお追加撮影の指示があったことを示す表示は、撮影プロトコル情報１００２とは異なる表示領域に表示させることとしてもよい。
【００５５】
また別の実施形態では、表示制御部２５３あるいは通知部２１４は、追加撮影の指示があった場合に、図１９に示すような、追加指示があったことを示すメッセージを含むウインドウを撮影画面の前面に重畳表示する。これにより追加撮影の指示があったことを通知する。かかるウインドウの表示は、例えば追加撮影の撮影プロトコル情報が撮影画面に追加された後に行うこととする。これにより、ユーザの確認を促すことができる。かかる形態では、例えば既存の撮影プロトコル情報に係る撮影がすべて終了した場合や、図１０のように順に並べられた撮影プロトコル情報のうち最後尾の撮影プロトコル情報に係る撮影が終了した場合に上述のウインドウを表示させることとする。これにより、撮影の作業の効率を落とさないようにすることができる。
【００５６】
あるいは、複数の撮影プロトコル情報が表示されている場合で、被写体の撮影体位が例えば立位から臥位に変わる直前のタイミング、例えば立位の最後の撮影が終了した直後に表示させることとすれば、撮影の作業の効率を落とさないようにすることができる。
【００５７】
一方で別の実施形態では、追加撮影の撮影プロトコル情報が撮影画面に追加される前で追加撮影の指示の情報が例えば検像端末１０３から受信された後に上述のウインドウを表示させることとする。これにより、撮影プロトコル情報が急に追加される、というようなユーザの注意を不要に引く表示変化をさせないようにする。
【００５８】
ここで、図２６に示すような、追加撮影の指示があったことを示す情報とともに、撮影プロトコルを追加するか否かを指示する操作入力を受け付けるための項目（了解ボタン２６０３、キャンセルボタン２６０４）を表示部に表示させる。かかる項目に対する操作入力によって、追加撮影の撮影プロトコル情報を追加するか否かが制御されることとなる。
【００５９】
ここで通信制御部２５１は、撮影プロトコルの追加を指示する操作入力を受け付けることに応じて、例えば了解ボタン２６０３の押下に応じて、通信回路１１１１を通じて追加撮影が了承されたことを示す情報を出力する。また撮影プロトコルを追加しないことを指示する操作入力を受け付けることに応じて、例えばキャンセルボタン２６０４の押下に応じて、当該追加撮影が拒否されたことを示す情報を出力する。出力先は、例えば当該追加撮影の指示を送信した送信元の検像端末１０３とすることができる。かかる情報が検像端末１０３で受信されることにより、検像端末１０３のユーザは自身の指示通りに撮影の予約が行われたか（撮影プロトコル情報の追加が行われたか）についての情報を知ることができるため便宜である。なおここで例えば、了解ボタン２６０３が押下され、追加撮影の撮影プロトコル情報が撮影画面３０１に表示され、撮影画像が得られた場合には、通信制御部２５１は、当該撮影画像を直後転送機能により、検査終了を待たずに検像端末１０３に送信させる。またここで、キャンセルボタン２６０４が押下された場合には、キャンセルあるいは拒否の理由を入力する為のテキストボックスをウインドウに表示させることする。そして、当該キャンセルあるいは拒否の理由の情報を、追加撮影が拒否されたことを示す情報とともに外部に出力することとする。これにより、検像端末１０３側で拒否された理由を確認することができるとともに、記録として残すことができる。
【００６０】
追加撮影の撮影プロトコル情報は、（１）検像端末１０３から受信する、（２）撮影制御装置１１１の操作部１１３からの操作入力を利用して指定する、（３）検像端末１０３から受信した一部の情報を元に撮影制御装置１１１の検査管理部２５２が生成する、などの種々の形態が考えられる。（１）の場合には、通信回路１１１１を通じて受信した情報を撮影プロトコル情報として検査管理部２５２の追加プロトコル取得部２０９が取得する。（２）の場合には、表示制御部２５３が例えば図２９、図３１に示すウインドウを表示して、撮影プロトコル情報を指定する為の操作入力を受け付けるようにする。追加プロトコル取得部２０９はかかる操作入力に応じた撮影プロトコル情報を追加撮影の撮影プロトコルとして指定する。
【００６１】
（３）の場合の処理について以下説明する。例えば検像端末１０３から（ｉ）撮影画像の識別情報を示す情報を含む指示情報を通信回路１１１１が受信する場合と、（ｉｉ）検査ＩＤと、撮影プロトコル情報に含まれるべき各種条件の一部の情報を含む指示情報を受信する場合とが考えられる。
【００６２】
（ｉ）の場合は主に、再撮影を目的とするときに用いられる。追加プロトコル取得部２０９の画像特定部２１０は、当該受信された識別情報に対応する撮影画像を特定する。再撮影プロトコル特定部２１１は、当該撮影画像に関連付けられた撮影プロトコル情報を特定する。追加プロトコル取得部２０９は、かかる撮影プロトコル情報に含まれる各種条件と、新たな識別情報とを含む新たな撮影プロトコル情報を、追加撮影の撮影プロトコル情報として生成する。生成された撮影プロトコルは、受信された撮影画像の識別情報に対応する検査オーダ情報に関連付けられる。以上のようにして、追加プロトコル取得部２０９は、検像端末１０３から受信した指示情報に画像の識別情報が含まれる場合に、該識別情報で特定される画像の撮影プロトコル情報に基づいて前記第二の撮影プロトコル情報を取得する。
【００６３】
（ｉｉ）の場合は、再撮影を含む追加撮影に用いられる。追加プロトコル取得部２０９は受信された検査オーダ情報（撮影情報）の識別情報から検査オーダ情報を特定する。そして、受信された各種条件の一部の情報を元に、予めＳＳＤ１１１４に記憶された、指定可能な撮影プロトコル情報のリスト情報を対象に部分一致検索を実行する。一意に特定できた場合には当該特定された撮影プロトコル情報から、追加撮影の撮影プロトコル情報を生成する。一意に特定できなかった場合には、部分一致検索で検索された、類似度が閾値よりも高い複数の撮影プロトコルを候補として表示させる。候補からの特定は、例えば操作部１１３に対する操作入力により選択することで行うこととすればよい。このようにして選択された撮影プロトコル情報は、追加撮影の撮影プロトコル情報として上述の処理で特定された検査オーダ情報に関連付けられる。
【００６４】
以上（ｉ）（ｉｉ）のようにして、追加プロトコル取得部２０９は、検像端末１０３から受信した指示情報に基づいて追加撮影の（第二の）撮影プロトコル情報を取得する。これにより、追加撮影の撮影プロトコル情報を効率的に得ることができ、操作者の操作負担を軽減することができるとともに、誤った撮影プロトコル情報が生成されてしまう可能性を低減することができる。
【００６５】
また、検像端末１０３から受信した指示情報に含まれる画像の識別情報または検査オーダ情報（撮影情報）の識別情報に基づいて、追加撮影の（第二の）撮影プロトコル情報に関連付けるべき検査オーダ情報（撮影情報）を特定する。これにより、追加撮影の撮影プロトコル情報を適切な検査オーダ情報（撮影情報）に関連付けることができ、操作者の操作負担を軽減することができる。
【００６６】
上述したように、追加撮影にはある撮影の再撮影と、再撮影に限らない追加撮影とが含まれる。ここで再撮影である場合には、元の撮影と関連付けておくことで、元の撮影に係る画像の写損指定や、元の撮影条件の流用等ができるため便宜である。そこで実施形態の１つでは、検査管理部２５２で追加撮影の（第二の）撮影プロトコル情報が、既存の（第一の）撮影プロトコル情報の再撮影に係る撮影プロトコル情報であるか否かを判定する。かかる判定処理は、例えば（ｉ）検像端末１０３からの指示情報に画像の識別情報が含まれている場合には、当該画像に対応する撮影の再撮影であると判定する。あるいは、（ｉｉ）追加撮影の指示情報を検像端末から受信した際に、表示制御部２５３は再撮影であるか否かを示す操作入力を受け付けるためのボタンと、再撮影である場合の元の撮影プロトコル情報の候補一覧とを表示部１１２に表示させる。操作入力により、かかるボタンが押下されており、かつ候補一覧から元の撮影プロトコル情報が選択されている場合に、検査管理部２５２は、当該選択された撮影プロトコル情報についての再撮影が指示されていると判定する。
【００６７】
例えば、再撮影と判定された追加撮影の（第二の）撮影プロトコルに基づく撮影（再撮影）が行われ、撮影画像が得られ、当該画像が写損と判定されずに検像端末１０３に出力された場合には、元の撮影プロトコル情報に係る撮影画像は不要となる。そこで検査管理部２５２は当該撮影画像を写損指定する。この場合、撮影画像に対して写損であることを示すフラグ情報が関連付けられる。またこの場合、ユーザに写損指定されたことを示すために、元の（第一の）撮影プロトコル情報に対応する撮影画像が写損であることを示す表示を表示させる。図１０の識別子１００４を撮影プロトコル情報３０７の領域の内部、例えばサムネイル表示領域３０８に表示されたサムネイルの前面に重畳して表示させる。なお、かかる写損指定及び写損表示の処理は、設定によって行わないようにしてもよい。
【００６８】
以下、図３、４、１０−１４、３０−３１、３６−４１に示す撮影画面の表示と、図１９、２６の追加撮影の指示の通知のためのウインドウの表示、図２９、３２の追加プロトコルの候補表示のためのウインドウの表示の詳細を説明する。またこれと併せて、図５−９、１５−１８、２０−２５、２７−２８、３４−３５、３９のフローチャートに記載の処理の流れを説明する。
【００６９】
ここで図３、図４は、表示部１１２に表示する撮影画面の一例を示している。図３、図４には、それぞれ外部システムからの撮影指示による撮影プロトコル情報追加前の撮影画面３０１、４０１を示している。
【００７０】
図３、図４には、被検者情報を表示する被検者情報表示領域３０２と、撮影画像を表示するプレビュー画像表示領域３０３と、撮影画像を外部へ転送する指示をする転送ボタン３０４と、検査の終了を指示する検査終了ボタン３０５と、実行中の検査オーダ情報の情報を示す検査オーダ表示領域３０６とが設けられている。検査オーダ表示領域３０６には、複数の撮影プロトコル情報３０７が設けられている。
【００７１】
撮影プロトコル情報３０７には、撮影画像のサムネイルを表示するサムネイル表示領域３０８と、撮影部位の名称を表示する部位表示領域３０９と、外部へ転送済みであるかどうかを表示する転送状態表示領域３１０とが設けられている。また、撮影プロトコル情報３０７は、プレビュー状態や撮影準備状態など各種状態も示す。
【００７２】
その他、図３、図４に示す画面には、実行中の撮影プロトコル情報に関するセンサの状態を示すセンサ状態表示領域３１２も設けられる。図３では撮影プロトコル情報３１１が撮影準備状態になっているため、図３のセンサ状態表示領域３１２には撮影プロトコル情報３１１の撮影準備状態や撮影姿勢が示されている。一方図４では撮影準備状態の撮影プロトコル情報がないため、図４のセンサ状態表示領域３１２には撮影準備状態にない旨の表示がなされている。
【００７３】
なお、図３、図４に示す画面では、文字により状態が示されているが、例えば、ボタンの色を変えたり、アニメーション表示を行なったりするなど、ＧＵＩで状態を示すようにしてもよい。
【００７４】
ここで、実施形態１に係わる処理の流れの一例について具体的に挙げる。
【００７５】
図５を用いて検査開始から終了までの一連の流れを説明する。かかる処理は例えば、撮影制御装置１１１、センサ１０９、Ｘ線管球１０７を主体として実行される。
【００７６】
まずステップＳ５０１において通信回路１１１１は、ＲＩＳ端末１０２から取得した検査オーダ情報が検査取得部２０１に入力され、入力された検査オーダ情報は検査記憶部２０２へと記憶される。かかる検査オーダ情報や検査オーダ情報に含まれる撮影プロトコル情報の夫々について進捗状態を示す情報が関連付けられ記憶部２５４に記憶される。これにより、検査管理部２５２は検査の進捗状態を管理する。次にステップＳ５０２へ進む。
【００７７】
ステップＳ５０２において検査管理部２５２により、検査オーダ情報の進捗状態を検査開始状態とする。これにより検査が開始され、表示部１１２には撮影画面３０１が表示される。ここで、表示制御部２５３は撮影部位の情報、撮像条件、照射条件、画像処理条件及び出力条件の少なくとも１つを含む第一の撮影プロトコル情報を含む検査オーダ情報（撮影情報）と、該撮影情報に係る撮影の被検者情報とを表示部１１２に表示させる。
【００７８】
次にステップＳ５０３へ進む。
【００７９】
ステップＳ５０３において、操作者による操作部１１３の操作を介して、撮影準備制御部２１６が未撮影の撮影プロトコル情報を撮影準備状態へ遷移させる。この遷移処理は操作者の操作を介さずとも、撮影準備制御部２１６が撮影プロトコル情報のリストの中で最も先頭にある未撮影プロトコル情報を自動で撮影準備状態へ遷移する制御であってもよい。なお、撮影準備制御部２１６の具体的な処理の流れは図１６にて説明する。次にステップＳ５０４へ進む。
【００８０】
ステップＳ５０４において、操作者による不図示の照射ボタンの押下に応じて、すると、Ｘ線撮影装置１０６のＸ線管球（照射部）１０７は被写体に向けてＸ線を照射するとともに、センサ１０９は当該被写体を透過したＸ線を検出する。この結果得られた撮影画像は、画像取得部２０３を介して撮影制御装置１１１に入力される。撮影制御装置１１１において、撮影プロトコル情報に紐付く画像処理パラメータを用いて補正処理や階調処理、周波数処理等の画像処理が撮影画像に対し施される。撮影画像には、画像を一意に識別する識別子が付与され、更に撮影画像は撮影に用いた撮影プロトコル情報と紐付けられ、検査記憶部２０２へと記憶される。撮影画像はプレビュー画像表示領域３０３へと表示され、また撮影に用いた撮影プロトコル情報のサムネイル表示領域３０８に撮影画像のサムネイルが表示される。ある撮影プロトコル情報に対応する撮影が終了すると、検査管理部２５２は当該撮影プロコルについての進捗状態を撮影済み状態とする。次にステップＳ５０５へ進む。
【００８１】
ステップＳ５０５において、操作部１１３の操作を介して転送ボタン３０４が押下されることに応じて、検査情報出力部２０４が撮影画像を外部へ転送する。撮影画像は検像端末１０３へと転送される。このとき、撮影画像とともに画像識別子も併せて転送される。なおこの転送処理は操作者の操作を介さずとも、ステップＳ５０４での処理完了後に撮影制御装置１１１が自動で転送する制御であってもよい。
【００８２】
上述の処理により、通信回路１１１１は、通信制御部２５１の制御により、検査オーダ情報（撮影情報）に含まれる第一の撮影プロトコル情報に基づき得られる撮影画像を検像端末１０３に出力する。次にステップＳ５０６へ進む。
【００８３】
ステップＳ５０６において、検査管理部２５２は検査オーダ情報に基づく撮影が全て完了したかどうかを、検査終了ボタン３０５が押下されたか否かに応じて判定する。検査オーダ情報中の撮影プロトコル情報が撮影済み状態であるかどうかで判定する。検査が完了していなければ、ステップＳ５０３へ戻る。完了していればステップＳ５０７へ進む。
【００８４】
ステップＳ５０７において、Ｓ５０１で検査管理部２５２は、取得された検査オーダ情報の進捗状態を完了済み状態とし、処理を終える。
【００８５】
図６を用いて検像端末１０３における検像処理の流れを説明する。ステップＳ６０１−Ｓ６０５の処理の実行主体はいずれも、検像端末１０３となる。
【００８６】
まずステップＳ６０１にて、撮影制御装置１１１から撮影画像が転送されるまで待機する。図５のステップＳ５０５での処理で撮影画像が転送されてきたらステップＳ６０２に進む。
【００８７】
ステップＳ６０２において、撮影制御装置１１１から転送されてきた撮影画像を含む情報を受信する。ここで、撮影画像に加えて、該撮影画像と該撮影画像の被検者情報を含む検査オーダ情報の少なくとも一部の情報を受信することとしてもよい。受信された撮影画像は検像端末１０３により、端末表示部１０３２に表示される。次にステップＳ６０３へ進む。
【００８８】
ステップＳ６０３で検像端末１０３の端末ＣＰＵ１０３５は、検像端末１０３に表示されている撮影画像を観察する検査技師からの操作入力に応じて、撮影画像が診断に適する品質であるか否かを判定する。診断に適さないと判定した場合、ステップＳ６０４へ進む。診断に適すると判定した場合ステップＳ６０５へ進む。
【００８９】
ステップＳ６０４において、検像端末１０３の端末通信回路１０３４は、診断に適する撮影画像が得られるよう、撮影制御装置１１１に対し再撮影の指示を出す。具体的には、検像端末１０３の操作を介して撮影指示を撮影制御装置１１１側へ送信する。この撮影指示には、ステップＳ６０２で受信した撮影画像に付帯する画像識別子と、検像端末１０３での操作を介して入力された撮影指示の理由、及び指示の優先度などが含まれる。優先度は緊急、高、中、低などで指定できても良い。そのほか、撮影画像の識別情報に代えて、又はこれに加えて、撮影画像の検査オーダ情報の識別情報及び撮影部位の情報、撮像条件、照射条件、画像処理条件及び出力条件の少なくともいずれかを含むこととしてもよい。
【００９０】
上述の処理により、撮影部位の情報、撮像条件、照射条件、画像処理条件及び出力条件の少なくともいずれかと該撮影画像の検査オーダ情報の識別情報とを含む指示情報を端末通信回路１０３４が追加撮影を指示する操作入力に応じて前記撮影装置に送信する。または前記撮影画像の識別情報を含む指示情報を端末通信回路１１３４が追加撮影を指示する操作入力に応じて前記撮影装置に送信する。もちろん、先述の条件と、検査オーダ情報の識別情報と画像の識別情報とを撮影装置に送信することとしてもよい。その後ステップＳ６０１へ戻る。
【００９１】
ステップＳ６０５において、検像端末１０３の端末通信回路１０３４はステップＳ６０２で受信した撮影画像を検像端末１０３の操作を介してＰＡＣＳ１０４へ転送する。転送された撮影画像はＰＡＣＳ１０４にて保存される。その後ステップＳ６０１へ戻る。
【００９２】
図７を用いて検査中に撮影制御装置１１１が受信した撮影指示に基づき撮影プロトコル情報を追加する処理の流れを説明する。かかる処理の主体は撮影制御装置１１１である。検査中であるため、図５における検査開始から終了までの間、即ちステップＳ５０２からステップＳ５０７までの状況における処理の流れである。
【００９３】
まずステップＳ７０１において、検像端末１０３からの撮影指示を受信するまで待機する。図６のステップＳ６０４での処理で撮影指示が送信されてきたらステップＳ７０２に進む。
【００９４】
ステップＳ７０２において、図６におけるステップＳ６０４で送信された撮影指示を撮影指示受信部２０５が受信する。受信された撮影指示は撮影指示記憶部２０６に記憶される。次にステップＳ７０３へ進む。
【００９５】
ステップＳ７０３において、検査記憶部２０２に記憶されている撮影プロトコル情報の数量が規定上限に達しているかどうかをプロトコル追加判定部２０７が判定する。上限に達していると判定された場合ステップＳ７０４へ進む。上限に達していないと判定された場合ステップＳ７０５へ進む。
【００９６】
ステップＳ７０４において、図６におけるステップＳ６０４の撮影指示に基づいた撮影がキャンセルされた旨を示すキャンセル指示を、キャンセル指示部２０８が検像端末１０３へ送信する。その後ステップＳ７０１へ戻る。
【００９７】
ステップＳ７０５において、検査記憶部２０２に記憶されている照射回数が規定上限に達しているかどうかをプロトコル追加判定部２０７が判定する。上限に達していると判定された場合ステップＳ７０４へ進む。上限に達していないと判定された場合ステップＳ７０６へ進む。
【００９８】
ステップＳ７０６において、追加プロトコル取得部２０９が、ステップＳ５０５で出力された撮影画像を受信した検像端末１０３からの撮影指示に基づく追加撮影の撮影プロトコル情報を取得する。
【００９９】
図８のフローチャートに従いステップＳ７０６における具体的な処理の流れを説明する。かかる処理の主体は撮影制御装置１１１である。
【０１００】
まずステップＳ８０１において、画像特定部２１０が再撮影対象の撮影画像を特定する。具体的には、撮影指示記憶部２０６に記憶されている撮影指示には画像識別子が含まれており（図６ステップＳ６０４の処理を参照）、その画像識別子を基に検査記憶部２０２に記憶されている撮影画像の中から、同一の画像識別子を付帯する撮影画像を探し出す。該当する撮影画像を発見できなかった場合ステップＳ８０２に進む。発見できた場合は発見した撮影画像を再撮影対象として特定し、ステップＳ８０３へ進む。
【０１０１】
ステップＳ８０２における処理は図７のステップＳ７０４と同一であるため省略する。次に図７のステップＳ７０７へ進む。
【０１０２】
ステップＳ８０３において、再撮影プロトコル特定部２１１が再撮影に用いる撮影プロトコル情報を特定する。具体的には、ステップＳ８０１にて画像特定部２１０が特定した撮影画像に紐付く撮影プロトコル情報と同一の撮影プロトコル情報を再撮影用として特定する。次にステップＳ８０４へ進む。
【０１０３】
ステップＳ８０４では、ステップＳ８０１で画像特定部２１０が特定した撮影画像に付帯する撮影成否状態を、状態変更部２１２が撮影失敗に変更する。次にステップＳ８０５へ進む。
【０１０４】
ステップＳ８０５では、ステップＳ８０１で画像特定部２１０が特定した撮影画像に付帯する撮影失敗理由に対し、撮影指示記憶部２０６に記憶されている撮影指示に含まれる撮影指示理由を追加する処理を理由変更部２１３が行う。次にステップＳ８０６へ進む。
【０１０５】
ステップＳ８０６において、通知部２１４へ通知要求する。次にステップ図７のステップＳ７０７へ進む。
【０１０６】
ステップＳ７０７では、ステップＳ７０６における追加プロトコル取得部２０９の処理により追加する撮影プロトコル情報が指定された場合、ステップＳ７０８へ進む。指定されていなかった場合、ステップＳ７０１へ戻る。
【０１０７】
ステップＳ７０８において、検査オーダ情報に含まれる撮影プロトコル情報のリストのどの位置に撮影プロトコル情報を挿入するかを、位置指定部２１５が指定する。
【０１０８】
図９のフローチャートに従いステップＳ７０８における具体的な処理の流れを説明する。かかる処理の主体は撮影制御装置１１１である。
【０１０９】
まずステップＳ９０１において、検査オーダ情報に含まれる撮影プロトコル情報の内、現在撮影準備状態にある撮影プロトコル情報があるかどうかを判定する。撮影準備状態の撮影プロトコル情報がある場合ステップＳ９０２へ進み、ない場合ステップＳ９０３へ進む。
【０１１０】
ステップＳ９０２において、撮影指示記憶部２０６に記憶された撮影指示に含まれる優先度が規定閾値以上であるかどうかを判定する。規定閾値以上である場合ステップＳ９０４へ進み、未満である場合ステップＳ９０５へ進む。
【０１１１】
ステップＳ９０３において、ステップＳ９０２と同様の判定を行い、優先度が規定閾値以上である場合ステップＳ９０６へ進み、未満である場合ステップＳ９０７へ進む。
【０１１２】
ステップＳ９０４において、検査オーダ情報に含まれる撮影プロトコル情報の内、現在撮影準備状態にある撮影プロトコル情報の次の位置へ、追加プロトコル取得部２０９が取得した撮影プロトコル情報を挿入する。次に図７のステップＳ７０９へ進む。
【０１１３】
ステップＳ９０５において、現在撮影準備状態にある撮影プロトコル情報に付帯する撮影部位と姿勢が、追加プロトコル取得部２０９が取得した撮影プロトコル情報に付帯する撮影部位と姿勢と同じか否か判定する。同じであると判定された場合ステップＳ９０４へ進み、異なる場合ステップＳ９０７へ進む。
【０１１４】
ステップＳ９０６において、検査オーダ情報に含まれる撮影プロトコル情報の内、追加プロトコル取得部２０９が指定した撮影プロトコル情報に付帯する撮影部位と姿勢が同じ、未撮影の撮影プロトコル情報があるかどうかを判定する。同じ撮影プロトコル情報がある場合ステップＳ９０８へ進み、ない場合はステップＳ９０９へ進む。
【０１１５】
ステップＳ９０７において、ステップＳ９０６と同様の判定を行い、同じ撮影プロトコル情報がある場合ステップＳ９１１へ進み、ない場合はステップＳ９１２へ進む。
【０１１６】
ステップＳ９０８では、追加プロトコル取得部２０９が指定した撮影プロトコル情報に付帯する撮影部位と姿勢が同じ未撮影の撮影プロトコル情報を、検査オーダ情報に含まれる撮影プロトコル情報のリストの先頭から探していく。はじめに該当した撮影プロトコル情報の直前の位置に、追加プロトコル取得部２０９が指定した撮影プロトコル情報を挿入する。次にステップＳ９１０へ進む。
【０１１７】
ステップＳ９０９では、検査オーダ情報に含まれる撮影プロトコル情報のリストの先頭に、追加プロトコル取得部２０９が指定した撮影プロトコル情報を挿入する。次にステップＳ９１０へ進む。
【０１１８】
ステップＳ９１０では、ステップＳ９０８またはステップＳ９０９にて挿入した撮影プロトコル情報を優先的に撮影準備状態へ遷移させるよう、撮影準備制御部２１６へ優先撮影準備を要求する。次に次に図７のステップＳ７０９へ進む。
【０１１９】
ステップＳ９１１では、ステップＳ９０８と同様の処理を行う。次に図７のステップＳ７０９へ進む。
【０１２０】
ステップＳ９１２では、検査オーダ情報に含まれる撮影プロトコル情報のリストの末尾に、追加プロトコル取得部２０９が指定した撮影プロトコル情報を挿入する。次に図７のステップＳ７０９へ進む。
【０１２１】
ステップＳ７０９において、表示部１１２に表示している撮影画面を表示更新する。これにより、追加撮影の（第二の）撮影プロトコル情報が前記撮影情報に含まれる第一の撮影プロトコル情報とともに表示される。ステップＳ７０８における位置指定部２１５の判定によって処理追加撮影プロトコル情報の挿入位置が異なるため、各挿入位置の撮影画面を図１０、図１１、図１２、図１３、図１４にて示す。表示更新後、ステップＳ７０１へ戻る。
【０１２２】
図１０は、表示部１１２にて表示する、外部撮影指示による撮影プロトコル情報追加後の撮影画面の一例を示している。図１０の画面が表示に至るまでの流れを具体的に説明する。まず表示部１１２に表示されているのは図３の撮影画面３０１であったとする。図５のステップＳ５０５において、操作部１１３の操作を介して転送ボタン３０４が押下されることに応じて、図３の撮影プロトコル情報３０７で撮影した画像を検像端末１０３へ転送したとする。その後、図６のステップＳ６０３にて検像端末１０３に表示された画像を、診断に適する品質ではないと判定し、ステップＳ６０４にて撮影指示を送信したとする。このとき、撮影指示には撮影プロトコル情報３０７の撮影画像に紐付く画像識別子が付与され、更に指示優先度は高に設定されたものとする。その後図７のステップＳ７０６を経て、図８のステップＳ８０１にて、撮影指示に付帯する画像識別子により再撮影対象の画像が撮影プロトコル情報３０７で撮影された画像であることが特定される。ステップＳ８０３にて、再撮影対象の画像を撮影した撮影プロトコル情報と同一である、撮影部位と姿勢が「胸部正面−立位」の撮影プロトコル情報が再撮影用として指定される。ステップＳ８０４にて撮影プロトコル情報３０７の撮影成否状態が撮影失敗に変更される。次にステップＳ７０８を経て、まずステップＳ９０１では、撮影準備状態の撮影プロトコル情報３１１があるためステップＳ９０２へ進む。ステップＳ９０２では、撮影指示に設定された優先度が高であるためステップＳ９０４へ進む。ステップＳ９０４では撮影準備状態の撮影プロトコル情報３１１の次に、ステップＳ８０３で指定した撮影プロトコル情報を挿入する。こうした処理の流れを経た結果、ステップＳ７０９にて表示部１１２に表示されたものが図１０に示す撮影画面３０１である。１００２はステップＳ９０４で挿入した撮影プロトコル情報である。撮影準備状態にある撮影プロトコル情報３１１の次に挿入されていることが分かる。また、ステップＳ８０３での指定により、撮影プロトコル情報１００２の撮影部位と姿勢が、再撮影対象の画像が紐付く撮影プロトコル情報３０７と同じ「胸部正面−立位」であることが分かる。撮影プロトコル情報１００２には、外部からの撮影指示により追加されたことが分かる識別子１００３が表示されている。一方ステップＳ８０４にて、撮影プロトコル情報３０７に紐付く撮影画像の撮影成否状態は撮影失敗に変更されているため、撮影プロトコル情報３０７には撮影失敗を示す識別子１００４が表示されている。ここで、ステップＳ６０４にて優先度を低に設定した場合でも、図１０と同じ表示構成になる。優先度を低にすると、ステップＳ９０２にてステップＳ９０５へ進む。ステップＳ９０５では撮影準備状態の撮影プロトコル情報３１１の撮影部位と姿勢が、ステップＳ８０３で指定された撮影プロトコル情報と同じ「胸部正面−立位」であるため、ステップＳ９０４へ進む。ステップＳ９０４にて撮影準備状態の撮影プロトコル情報３１１の次にステップＳ８０３で指定された撮影プロトコル情報を追加する。よって図１０と同じ表示になる。
【０１２３】
図１１は、表示部１１２にて表示する、外部撮影指示による撮影プロトコル情報追加後の撮影画面の一例を示している。図１１の画面が表示に至るまでの流れを具体的に説明する。まず表示部１１２に表示されているのは図３の撮影画面３０１であったとする。図５のステップＳ５０５において、操作部１１３の操作を介して転送ボタン３０４が押下されることに応じて、図３の撮影プロトコル情報３１３で撮影した画像を検像端末１０３へ転送したとする。その後、図６のステップＳ６０３にて検像端末１０３に表示された画像を診断に適する品質ではないと判定し、ステップＳ６０４にて撮影指示を送信したとする。このとき、撮影指示には撮影プロトコル情報３１３の撮影画像に紐付く画像識別子が付与され、更に指示優先度は低に設定されたものとする。その後図７のステップＳ７０６を経て、図８のステップＳ８０１にて、撮影指示に付帯する画像識別子により再撮影対象の画像が撮影プロトコル情報３１３で撮影された画像であることが特定される。ステップＳ８０３にて、再撮影対象の画像を撮影した撮影プロトコル情報と同一である、撮影部位と姿勢が「胸部側面−臥位」の撮影プロトコル情報が再撮影用として指定される。ステップＳ８０４にて撮影プロトコル情報３１３の撮影成否状態が撮影失敗に変更される。次にステップＳ７０８を経て、まずステップＳ９０１では、撮影準備状態の撮影プロトコル情報３１１があるためステップＳ９０２へ進み、ステップＳ９０２では、撮影指示に設定された優先度が低であるためステップＳ９０５へ進む。ステップＳ９０５では、撮影準備状態の撮影プロトコル情報３１１の撮影部位と姿勢が「胸部正面−立位」、ステップＳ８０３で指定された撮影プロトコル情報の撮影部位と姿勢が「胸部側面−臥位」であり異なるため、ステップＳ９０７へ進む。ステップＳ９０７では、ステップＳ８０３で指定された撮影プロトコル情報と同じ撮影部位と姿勢である未撮影プロトコル情報３１４があるため、ステップＳ９１１へ進む。ステップＳ９１１にて、未撮影プロトコル情報３１４の直前にステップＳ８０３で指定された撮影プロトコル情報を挿入する。こうした処理の流れを経た結果、ステップＳ７０９にて表示部１１２に表示されたものが図１１に示す撮影画面３０１である。１１０２はステップＳ９１１で挿入した撮影プロトコル情報である。ステップＳ８０３での指定により、撮影プロトコル情報１１０２の撮影部位と姿勢が、再撮影対象の画像が紐付く撮影プロトコル情報３１３と同じ「胸部側面−臥位」であることが分かる。また、ステップＳ９１１の処理により、同じ撮影部位と姿勢である未撮影プロトコル情報３１４の直前に挿入されていることが分かる。また、撮影プロトコル情報１１０２には、図１０の１００３と同様の識別子１１０３が表示されている。一方ステップＳ８０４にて、撮影プロトコル情報３１３に紐付く撮影画像の撮影成否状態は撮影失敗に変更されているため、撮影プロトコル情報３１３には撮影失敗を示す識別子１１０４が表示されている。
【０１２４】
図１２は、表示部１１２にて表示する、外部撮影指示による撮影プロトコル情報追加後の撮影画面の一例を示している。図１２の画面が表示に至るまでの流れを具体的に説明する。まず表示部１１２に表示されているのは図４の撮影画面３０１であったとする。図５のステップＳ５０５において、操作部１１３の操作を介して転送ボタン３０４が押下されることに応じて、図４の撮影プロトコル情報４０３で撮影した画像を検像端末１０３へ転送したとする。その後、図６のステップＳ６０３にて検像端末１０３に表示された画像を診断に適する品質ではないと判定し、ステップＳ６０４にて撮影指示を送信したとする。このとき、撮影指示には撮影プロトコル情報４０３の撮影画像に紐付く画像識別子が付与され、更に指示優先度は低に設定されたものとする。その後図７のステップＳ７０６を経て、図８のステップＳ８０１にて、撮影指示に付帯する画像識別子により再撮影対象の画像が撮影プロトコル情報４０３で撮影された画像であることが特定される。ステップＳ８０３にて、再撮影対象の画像を撮影した撮影プロトコル情報と同一である、撮影部位と姿勢が「胸部側面−臥位」の撮影プロトコル情報が再撮影用として指定される。ステップＳ８０４にて撮影プロトコル情報４０３の撮影成否状態が撮影失敗に変更される。次にステップＳ７０８を経て、まずステップＳ９０１では、撮影画面３０１の検査オーダ情報には撮影準備状態にある撮影プロトコル情報が存在しないためステップＳ９０３へ進み、ステップＳ９０３では、撮影指示に設定された優先度が低であるためステップＳ９０７へ進む。ステップＳ９０７では、ステップＳ８０３で指定された撮影プロトコル情報と同じ撮影部位と姿勢である未撮影プロトコル情報４０４があるため、ステップＳ９１１へ進む。ステップＳ９１１にて、未撮影プロトコル情報４０４の直前にステップＳ８０３で指定された撮影プロトコル情報を挿入する。こうした処理の流れを経た結果、ステップＳ７０９にて表示部１１２に表示されたものが図１２に示す撮影画面３０１である。１２０２はステップＳ９１１で挿入した撮影プロトコル情報である。ステップＳ８０３での指定により、撮影プロトコル情報１２０２の撮影部位と姿勢が、再撮影対象の画像が紐付く撮影プロトコル情報４０３と同じ「胸部側面−臥位」であることが分かる。また、ステップＳ９１１の処理により、同じ撮影部位と姿勢である未撮影プロトコル情報４０４の直前に挿入されていることが分かる。また、撮影プロトコル情報１２０２には、図１０の１００３と同様の識別子１２０３が表示されている。一方ステップＳ８０４にて、撮影プロトコル情報４０３に紐付く撮影画像の撮影成否状態は撮影失敗に変更されているため、撮影プロトコル情報４０３には撮影失敗を示す識別子１２０４が表示されている。ここで、ステップＳ６０４にて優先度を高に設定した場合でも、図１２と同じ表示構成になる。優先度を高にすると、ステップＳ９０３にてステップＳ９０６へ進む。ステップＳ９０６ではステップＳ９０７と同様の判定を行うため、ステップＳ９０８へ進む。ステップＳ９０８ではステップＳ９１１と同様の処理を行うため、図１２と同じ表示になる。
【０１２５】
図１３は、表示部１１２にて表示する、外部撮影指示による撮影プロトコル情報追加後の撮影画面の一例を示している。図１３の画面が表示に至るまでの流れを具体的に説明する。まず表示部１１２に表示されているのは図４の撮影画面３０１であったとする。図５のステップＳ５０５において、操作部１１３の操作を介して転送ボタン３０４が押下されることに応じて図４の撮影プロトコル情報４０２で撮影した画像を検像端末１０３へ転送したとする。その後、図６のステップＳ６０３にて検像端末１０３に表示された画像を診断に適する品質ではないと判定し、ステップＳ６０４にて撮影指示を送信したとする。このとき、撮影指示には撮影プロトコル情報４０２の撮影画像に紐付く画像識別子が付与され、更に指示優先度は低に設定されたものとする。その後図７のステップＳ７０６を経て、図８のステップＳ８０１にて、撮影指示に付帯する画像識別子により再撮影対象の画像が撮影プロトコル情報４０２で撮影された画像であることが特定される。ステップＳ８０３にて、再撮影対象の画像を撮影した撮影プロトコル情報と同一である、撮影部位と姿勢が「胸部正面−立位」の撮影プロトコル情報が再撮影用として指定される。ステップＳ８０４にて撮影プロトコル情報４０２の撮影成否状態が撮影失敗に変更される。次にステップＳ７０８を経て、まずステップＳ９０１では、撮影画面３０１の検査オーダ情報には撮影準備状態にある撮影プロトコル情報が存在しないためステップＳ９０３へ進み、ステップＳ９０３では、撮影指示に設定された優先度が低であるためステップＳ９０７へ進む。ステップＳ９０７では、ステップＳ８０３で指定された撮影プロトコル情報と同じ撮影部位と姿勢「胸部正面−立位」の未撮影プロトコル情報が存在しないため、ステップＳ９１２へ進む。ステップＳ９１２では、撮影プロトコル情報のリストの末尾にステップＳ８０３で指定された撮影プロトコル情報を挿入する。こうした処理の流れを経た結果、ステップＳ７０９にて表示部１１２に表示されたものが図１３に示す撮影画面３０１である。１３０２はステップＳ９１２で挿入した撮影プロトコル情報である。ステップＳ８０３での指定により、撮影プロトコル情報１３０２の撮影部位と姿勢が、再撮影対象の画像が紐付く撮影プロトコル情報４０２と同じ「胸部正面−立位」であることが分かる。また、ステップＳ９１２の処理により、リストの末尾に挿入されていることが分かる。また、撮影プロトコル情報１３０２には、図１０の１００３と同様の識別子１３０３が表示されている。一方ステップＳ８０４にて、撮影プロトコル情報４０２に紐付く撮影画像の撮影成否状態は撮影失敗に変更されているため、撮影プロトコル情報４０２には撮影失敗を示す識別子１３０４が表示されている。
【０１２６】
図１４は、表示部１１２にて表示する、外部撮影指示による撮影プロトコル情報追加後の撮影画面の一例を示している。図１４の画面が表示に至るまでの流れを具体的に説明する。まず表示部１１２に表示されているのは図４の撮影画面３０１であったとする。図５のステップＳ５０５において、操作部１１３の操作を介して転送ボタン３０４が押下されることに応じて図４の撮影プロトコル情報４０２で撮影した画像を検像端末１０３へ転送したとする。その後、図６のステップＳ６０３にて検像端末１０３に表示された画像を診断に適する品質ではないと判定し、ステップＳ６０４にて撮影指示を送信したとする。このとき、撮影指示には撮影プロトコル情報４０２の撮影画像に紐付く画像識別子が付与され、更に指示優先度は高に設定されたものとする。その後図７のステップＳ７０６を経て、図８のステップＳ８０１にて、撮影指示に付帯する画像識別子により再撮影対象の画像が撮影プロトコル情報４０２で撮影された画像であることが特定される。ステップＳ８０３にて、再撮影対象の画像を撮影した撮影プロトコル情報と同一である、撮影部位と姿勢が「胸部正面−立位」の撮影プロトコル情報が再撮影用として指定される。ステップＳ８０４にて撮影プロトコル情報４０２の撮影成否状態が撮影失敗に変更される。次にステップＳ７０８を経て、まずステップＳ９０１では、撮影画面３０１の検査オーダ情報には撮影準備状態にある撮影プロトコル情報が存在しないためステップＳ９０３へ進み、ステップＳ９０３では、撮影指示に設定された優先度が高であるためステップＳ９０６へ進む。ステップＳ９０６では、ステップＳ８０３で指定された撮影プロトコル情報と同じ撮影部位と姿勢「胸部正面−立位」の未撮影プロトコル情報が存在しないため、ステップＳ９０９へ進む。ステップＳ９０９では、撮影プロトコル情報のリストの先頭にステップＳ８０３で指定された撮影プロトコル情報を挿入する。こうした処理の流れを経た結果、ステップＳ７０９にて表示部１１２に表示されたものが図１４に示す撮影画面３０１である。１４０２はステップＳ９０９で挿入した撮影プロトコル情報である。ステップＳ８０３での指定により、撮影プロトコル情報１４０２の撮影部位と姿勢が、再撮影対象の画像が紐付く撮影プロトコル情報４０２と同じ「胸部正面−立位」であることが分かる。また、ステップＳ９０９の処理により、リストの先頭に挿入されていることが分かる。また、撮影プロトコル情報１４０２には、図１０の１００３と同様の識別子１４０３が表示されている。一方ステップＳ８０４にて、撮影プロトコル情報４０２に紐付く撮影画像の撮影成否状態は撮影失敗に変更されているため、撮影プロトコル情報４０２には撮影失敗を示す識別子１４０４が表示されている。
【０１２７】
図１５を用いて検査中に撮影準備制御部２１６が、ステップＳ９１０にて優先撮影準備要求を受けた場合の優先撮影準備処理の流れを説明する。なお、以降の説明において「検査中」とは図５における検査開始から終了までの間、即ちステップＳ５０２からステップＳ５０７までの状況を指す。かかる処理の主体は撮影制御装置１１１である。
【０１２８】
まずステップＳ１５０１にて、撮影準備制御部２１６はステップＳ９１０で要求された優先撮影準備要求を受信する。この優先撮影準備要求には、ステップＳ９０８またはステップＳ９０９にて挿入した撮影プロトコル情報を一意に特定する識別子が含まれている。次にステップＳ１５０２へ進む。
【０１２９】
ステップＳ１５０２にて、ステップＳ１５０１で受信した優先撮影準備要求に含まれる撮影プロトコル情報の識別子を撮影準備制御部２１６が記憶する。次にステップＳ１５０３へ進む。
【０１３０】
ステップＳ１５０３にて、撮影準備制御部２１６は優先撮影準備モードへ遷移し、優先撮影準備処理を終了する。
【０１３１】
図１６を用いて検査中に撮影準備制御部２１６が、撮影プロトコル情報を撮影準備状態へ遷移させる撮影準備処理の流れを説明する。図５におけるステップＳ５０３の具体的な処理である。かかる処理の主体は撮影制御装置１１１である。
【０１３２】
まずステップＳ１６０１にて、操作者の操作に応じてまたは撮影準備制御部２１６自身による撮影準備指示が行われる。次にステップＳ１６０２へ進む。
【０１３３】
ステップＳ１６０２にて、撮影準備制御部２１６が優先撮影準備モードであるかどうかを判定する。優先撮影準備モードである場合はステップＳ１６０３へ進み、そうでない場合はステップＳ１６０５へ進む。
【０１３４】
ステップＳ１６０３にて、撮影準備制御部２１６が図１５のステップＳ１５０２で記憶した識別子に紐付く撮影プロトコル情報を撮影準備状態に遷移させる。次にステップＳ１６０４へ遷移する。
【０１３５】
ステップＳ１６０４にて、撮影準備制御部２１６は優先撮影準備モードを解除し、撮影準備処理を終了する。
【０１３６】
ステップＳ１６０５にて、ステップＳ１６０１における撮影準備指示通りの撮影プロトコル情報を撮影準備状態へ遷移させ、撮影準備処理を終了する。
【０１３７】
図１７を用いて検査中に撮影プロトコル情報追加通知部２１４が通知要求を受けたときの撮影プロトコル情報追加通知処理の流れを説明する。かかる処理の主体は撮影制御装置１１１である。
【０１３８】
まずステップＳ１７０１にて、撮影プロトコル情報追加通知部２１４は図８のステップＳ８０６での通知要求が送信されるまで待機する。送信されてきたらステップＳ１７０２へ進む。
【０１３９】
ステップＳ１７０２にて、図８のステップＳ８０６での通知要求を撮影プロトコル情報追加通知部２１４が受信する。次にステップＳ１７０３へ進む。
ステップＳ１７０３での具体的な処理は図１８にて説明する。ステップＳ１７０３の処理後、ステップＳ１７０１へ戻る。
【０１４０】
図１８を用いて、撮影プロトコル情報追加通知部２１４による通知処理の具体的な処理の流れを説明する。かかる処理の主体は撮影制御装置１１１である。
【０１４１】
まずステップＳ１８０１にて、位置指定部２１５により検査オーダ情報に撮影プロトコル情報が挿入されたかどうかを判定する。挿入された場合ステップＳ１８０２へ進む。挿入されていない場合ステップＳ１８０１へ戻る。
【０１４２】
ステップＳ１８０２にて、図１９に示す通知画面１９０１を表示部１１２に表示する。１９０２に示すように、撮影指示記憶部２０６に記憶してある撮影指示の優先度や理由を表示してもよい。表示後通知処理を終了する。
【０１４３】
次の図２０、図２１、図２２で説明するのは、外部からの撮影指示により追加された撮影プロトコル情報で撮影を実施しない場合に、撮影指示した側へキャンセル指示を通知する処理の内容である。
【０１４４】
図２０を用いて、位置指定部２１５により挿入した撮影プロトコル情報が削除された場合の処理の流れを説明する。かかる処理の主体は撮影制御装置１１１である。
【０１４５】
まずステップＳ２００１にて、位置指定部２１５により挿入した撮影プロトコル情報での撮影が必要ないなどの理由により、挿入した撮影プロトコル情報を検査終了前に操作部１１３の操作に応じて削除する。次にステップＳ２００２に進む。
【０１４６】
ステップＳ２００２にて、キャンセル指示部２０８はステップＳ２００１での撮影プロトコル情報削除を受けて、撮影指示受信部２０５を介して撮影指示を入力した側へキャンセル指示を送信する。
【０１４７】
図２１を用いて、再撮影対象画像の撮影失敗が解除された場合の処理の流れを説明する。かかる処理の主体は撮影制御装置１１１である。
【０１４８】
まずステップＳ２１０１にて、図８のステップＳ８０４で撮影成否状態が撮影失敗に変更された撮影画像について、撮影失敗ではないと操作者からの操作入力に応じて判定し、操作者からの操作入力に応じて操作部１１３の操作を介して撮影失敗を解除する。次にステップＳ２１０２に進む。
【０１４９】
ステップＳ２１０２にて、キャンセル指示部２０８はステップＳ２１０１での撮影失敗解除を受けて、外部撮影指示入力部を介して撮影指示を入力した側へキャンセル指示を送信する。
【０１５０】
図２２を用いて、位置指定部２１５により挿入した撮影プロトコル情報での撮影が実施されないまま検査終了した場合の処理の流れを説明する。かかる処理の主体は撮影制御装置１１１である。
【０１５１】
まずステップＳ２２０１にて、挿入した撮影プロトコル情報での撮影を実施しないまま、操作部１１３の操作を介して検査終了ボタン３０５が押下されることに応じて検査終了する。かかる処理は例えば、位置指定部２１５により挿入した撮影プロトコル情報での撮影が必要ないなどの理由によるものである。次にステップＳ２２０２に進む。
【０１５２】
ステップＳ２２０２にて、キャンセル指示部２０８はステップＳ２２０１での検査終了を受けて、外部撮影指示入力部を介して撮影指示を入力した側へキャンセル指示を送信する。
【０１５３】
以上説明したように実施形態１によれば、検査中に外部から撮影指示を受けた場合に、指示通りの撮影プロトコル情報を検査オーダ情報に自動で追加できるようになる。これにより操作者の不注意による追加撮影プロトコル情報の選択ミスや撮影プロトコル情報追加忘れを防止できる。その際追加された直後に追加された旨を操作者に通知するため、操作者は撮影プロトコル情報が追加されたことに気付くことができる。更にその通知に併せて撮影指示の優先度や理由を知ることができる。更に追加された旨の識別子を撮影プロトコル情報に表示するため、操作者は外部からの撮影指示により追加された撮影プロトコル情報とそうでない撮影プロトコル情報を識別できる。
【０１５４】
また、再撮影対象の撮影画像を自動で撮影失敗に変更するため、操作者の不注意による撮影成否状態の変更忘れを防止できる。更に撮影失敗になった撮影画像に対し、撮影失敗理由に撮影指示の理由が追加されるため、どのような理由で撮影失敗になったのか後から知ることができる。更に撮影失敗になった撮影画像について、識別子の表示により操作者は転送済みで且つ撮影失敗であることが識別できる。
【０１５５】
また、検査オーダ情報内の撮影プロトコル情報数や照射回数が上限であるために撮影プロトコル情報を追加できない場合や、追加撮影プロトコル情報での撮影を操作者の判定で実施しなかった場合に、撮影指示を送信した側へキャンセル指示を自動で送信する。これにより撮影プロトコル情報を追加できなかった旨を忘れずに伝達できる。
【０１５６】
また、優先度の高い撮影指示を受けた場合に追加撮影プロトコル情報を適切な位置へ挿入し、優先的に撮影できるようになる。更に優先度が高くない場合は同じ撮影部位及び姿勢の撮影プロトコル情報の直前に追加撮影プロトコル情報を挿入するため、再撮影による患者の姿勢変更の負担を軽減できる。
【０１５７】
総じて外部から撮影指示を受けたときに発生しうる不都合を解消し、撮影作業の正確性が向上する。
【０１５８】
〔実施形態２〕
次に実施形態２について説明する。
【０１５９】
実施形態１との差異以外、実施形態２は実施形態１と同様であるため省略する。ここでは差異のみについて説明する。
【０１６０】
図１７のステップＳ１７０２での具体的な処理は図２３にて説明する。
図２３を用いて、撮影プロトコル情報追加通知部２１４による通知処理の具体的な処理の流れを説明する。かかる処理の主体は撮影制御装置１１１である。
【０１６１】
まずステップＳ２３０１にて、位置指定部２１５により挿入された撮影プロトコル情報以外の、検査オーダ情報の既存の撮影プロトコル情報での撮影が完了したかどうかを判定する。完了した場合ステップＳ２３０２へ進む。完了していない場合ステップＳ２３０１へ戻る。
【０１６２】
ステップＳ２３０２の処理は、実施形態１で説明した図１８のステップＳ１８０２と同様である。
以上説明したように実施形態２による効果は、差異以外実施形態１と同様である。差異のみを説明する。既存撮影プロトコル情報での撮影が完了したタイミングで外部撮影指示により撮影プロトコル情報が追加された旨を通知するため、既存撮影プロトコル情報での撮影作業や操作者の画像処理操作を妨害することなく、操作者に追加された旨を通知できる。総じて外部から撮影指示を受けたときに発生しうる不都合を解消し、撮影作業の正確性が向上する。
【０１６３】
〔実施形態３〕
次に実施形態３について説明する。
【０１６４】
実施形態１との差異以外、実施形態３は実施形態１と同様であるため省略する。ここでは差異のみについて説明する。
【０１６５】
図１７のステップＳ１７０２での具体的な処理は図２４にて説明する。
図２４を用いて、撮影プロトコル情報追加通知部２１４による通知処理の具体的な処理の流れを説明する。かかる処理の主体は撮影制御装置１１１である。
【０１６６】
まずステップＳ２４０１にて、位置指定部２１５により挿入された撮影プロトコル情報が撮影準備制御部２１６によって撮影準備状態へ遷移したかどうかを判定する。遷移した場合ステップＳ２４０２へ進む。遷移していない場合ステップＳ２４０１へ戻る。
【０１６７】
ステップＳ２４０２の処理は、図１８のステップＳ１８０２と同様である。
【０１６８】
以上説明したように実施形態３による効果は、差異以外実施形態１と同様である。差異のみを説明する。外部撮影指示により追加された撮影プロトコル情報が撮影準備状態に遷移したタイミングで追加された旨を通知するため、既存撮影プロトコル情報での撮影作業や操作者の画像処理操作を妨害することなく、操作者に追加された旨を通知できる。総じて外部から撮影指示を受けたときに発生しうる不都合を解消し、撮影作業の正確性が向上する。
【０１６９】
〔実施形態４〕
次に実施形態４について説明する。
【０１７０】
実施形態４に係わる放射線撮影システムを適用したＸ線撮影システムは図１に示す通り実施形態１と同様である。
【０１７１】
また、図１に示す撮影制御装置１１１において実施形態４を実現する機能構成は図２と同様であるため説明は省略する。
また、実施形態４を説明する上で表示部１１２に表示される画面の例は、実施形態１を説明した図３２と同様である。
【０１７２】
ここで実施形態４に係わる処理の流れの具体例を挙げる。
【０１７３】
検査開始から終了までの一連の流れは実施形態１の図５で説明したものと同様である。
【０１７４】
検像端末１０３における検像処理の流れは実施形態１の図６で説明したものと同様である。
【０１７５】
検査中に撮影制御装置１１１が受信した撮影指示に基づき撮影プロトコル情報を追加する処理の流れは実施形態１の図７で説明したものと同様であるが、差異のみ記述する。
【０１７６】
図２５のフローチャートに従いステップＳ７０６における具体的な処理の流れを説明する。かかる処理の主体は撮影制御装置１１１である。
【０１７７】
まずステップＳ２５０１の処理は、ステップＳ８０１と同様である。該当する撮影画像を発見できなかった場合ステップＳ２５０２に進む。発見できた場合は発見した撮影画像を再撮影対象として特定し、ステップＳ２５０３へ進む。
【０１７８】
ステップＳ２５０２の処理は、ステップＳ７０４と同様である。次に図７のステップＳ７０７へ進む。
【０１７９】
ステップＳ２５０３にて、表示部１１２に図２６に示すような、操作者に撮影プロトコル情報の追加判定を促す画面２６０１を表示する。２６０２に示すように、撮影指示記憶部２０６に記憶してある撮影指示の優先度や理由を表示してもよい。次にステップＳ２５０４へ進む。
【０１８０】
ステップＳ２５０４にて、２６０１及び２６０２の内容を見た操作者からの了解ボタン２６０３を押下する操作入力に応じて撮影プロトコル情報を追加すると判定する。次にステップＳ２５０４へ進む。操作部１１３を介してキャンセルボタン２６０４を押下する操作入力があった場合、追加しないと判定し、ステップＳ２５０２へ進む。
【０１８１】
ステップＳ２５０５の処理は、ステップＳ８０３と同様である。次にステップＳ２５０６へ進む。
ステップＳ２５０６の処理は、ステップＳ８０４と同様である。次にステップＳ２５０７へ進む。
ステップＳ２５０７の処理は、ステップＳ８０５と同様である。図７のステップＳ７０７へ進む。
図７のステップＳ７０８の具体的な処理は、実施形態１の図９で説明したものと同様である。
【０１８２】
図７のステップＳ７０９における、撮影プロトコル情報の各挿入位置の撮影画面の例は、実施形態１で説明した図１０、１１、１２、１３、１４と同様である。但し実施形態１における図１０、１１、１２、１３、１４のそれぞれを用いた説明の内、ステップＳ８０１をステップＳ２５０１に、ステップＳ８０３をステップＳ２５０５に、ステップＳ８０４をステップＳ２５０６に、ステップＳ８０５をステップＳ２５０７にそれぞれ置き換えると、実施形態４は実施形態１と同様の処理として説明できる。
【０１８３】
検査中に撮影準備制御部２１６がステップＳ９１０にて優先撮影準備要求を受けた場合の優先撮影準備処理の流れは、実施形態１の図１５で説明したものと同様である。
【０１８４】
検査中に撮影準備制御部２１６が撮影プロトコル情報を撮影準備状態へ遷移させる撮影準備処理の流れは、実施形態１の図１６で説明したものと同様である。
【０１８５】
外部からの撮影指示により追加された撮影プロトコル情報で撮影を実施しない場合に、撮影指示した側へキャンセル指示を通知する処理の内容は、実施形態１の図２０、２１、２２で説明したものと同様である。
【０１８６】
以上説明したように実施形態４によれば、検査中に外部から撮影指示を受けた場合に、撮影プロトコル情報を追加するかどうかを確認できる。その際撮影指示の優先度や理由を知ることができる。操作者が追加すると判定された場合、指示通りの撮影プロトコル情報を検査オーダ情報に追加できるようになり、操作者の不注意による追加撮影プロトコル情報の選択ミスや撮影プロトコル情報追加忘れを防止できる。
【０１８７】
また、再撮影対象の撮影画像を自動で撮影失敗に変更するため、操作者の不注意による撮影成否状態の変更忘れを防止できる。更に撮影失敗になった撮影画像に対し、撮影失敗理由に撮影指示の理由が追加されるため、どのような理由で撮影失敗になったのか後から知ることができる。更に撮影失敗になった撮影画像について、識別子の表示により操作者は転送済みで且つ撮影失敗であることが識別できる。
【０１８８】
また、検査オーダ情報内の撮影プロトコル情報数や照射回数が上限であるために撮影プロトコル情報を追加できない場合や、追加撮影プロトコル情報での撮影を操作者の判定で実施しなかった場合に、撮影指示を送信した側へキャンセル指示を自動で送信する。これにより撮影プロトコル情報を追加できなかった旨を忘れずに伝達できる。
【０１８９】
また、優先度の高い撮影指示を受けた場合に追加撮影プロトコル情報を適切な位置へ挿入し、優先的に撮影できるようになる。更に優先度が高くない場合は同じ撮影部位及び姿勢の撮影プロトコル情報の直前に追加撮影プロトコル情報を挿入するため、再撮影による患者の姿勢変更の負担を軽減できる。
【０１９０】
総じて外部から撮影指示を受けたときに発生しうる不都合を解消し、撮影作業の正確性が向上する。
【０１９１】
〔実施形態５〕
次に実施形態５について説明する。
【０１９２】
実施形態５に係わる放射線撮影システムを適用したＸ線撮影システムは図１に示す通り実施形態１と同様である。
【０１９３】
また、図１に示す撮影制御装置１１１において実施形態５を実現する機能構成は図２と同様である。２８０１は撮影指示に基づき検査オーダ情報に追加する撮影プロトコル情報の候補を抽出する撮影プロトコル情報候補抽出部である。追加プロトコル取得部２０９は撮影プロトコル情報候補抽出部２８０１を内包している。
【０１９４】
また、実施形態５を説明する上で表示部１１２に表示される画面の例は、実施形態１を説明した図３２と同様である。
【０１９５】
ここで実施形態５に係わる処理の流れの具体例を挙げる。
【０１９６】
検査開始から終了までの一連の流れは実施形態１の図５で説明したものと同様である。
【０１９７】
図２７を用いて検像端末１０３における検像処理の流れを説明する。かかる処理の主体は検像端末１０３である。
【０１９８】
まずステップＳ２７０１の処理は、実施形態１のステップＳ６０１と同様である。次にステップＳ２７０２へ進む。
【０１９９】
ステップＳ２７０２の処理は、実施形態１のステップＳ６０２と同様である。次にステップＳ２７０３へ進む。
【０２００】
ステップＳ２７０３において、検像端末１０３に表示されている撮影画像を撮影画像が診断に適する品質であるかどうかを判定する。診断に適さないと判定した場合、ステップＳ２７０４へ進む。診断に適すると判定した場合ステップＳ２７０５へ進む。
【０２０１】
ステップＳ２７０４において、診断に適する撮影画像が得られるよう、撮影制御装置１１１に対し再撮影の指示を出す。具体的には、検像端末１０３の操作を介して撮影指示を撮影制御装置１１１側へ送信する。この撮影指示には、検像端末１０３の操作を介して入力された撮影指示の理由、及び指示の優先度などが含まれる。優先度は緊急、高、中、低などで指定できても良い。その後ステップＳ２７０１へ戻る。
【０２０２】
ステップＳ２７０５において、検像端末１０３に表示されている撮影画像を他に追加撮影が必要かどうかを判定する。例えば操作入力に応じて腹部の診断も必要などの理由により追加撮影が必要だと判定された場合、ステップＳ２７０６へ進む。必要ないと判定された場合、ステップＳ２７０７へ進む。
【０２０３】
ステップＳ２７０６の処理は、ステップＳ２７０４と同様である。次にステップＳ２７０７へ進む。
【０２０４】
ステップＳ２７０７において、ステップＳ２７０２で受信した撮影画像を検像端末１０３の操作を介してＰＡＣＳ１０４へ転送する。転送された撮影画像はＰＡＣＳ１０４にて保存される。その後ステップＳ２７０１へ戻る。
【０２０５】
検査中に撮影制御装置１１１が受信した撮影指示に基づき撮影プロトコル情報を追加する処理の流れは実施形態１の図７で説明したものと同様であるが、差異のみ記述する。
【０２０６】
図２８のフローチャートに従いステップＳ７０６における具体的な処理の流れを説明する。かかる処理の主体は撮影制御装置１１１である。
【０２０７】
まずステップＳ２８０１にて、撮影プロトコル情報候補抽出部２８０１が図示しない撮影プロトコル情報候補記憶部から撮影プロトコル情報候補を抽出する。次にステップＳ２８０２へ進む。
【０２０８】
ステップＳ２８０２にて、図２９に示すウインドウ２９０１を、例えば撮影画面３０１、３５０１の前面に重畳して表示する。ウインドウ２９０１上には、領域２９０２に示すように、撮影指示記憶部２０６に記憶してある撮影指示の優先度や理由を表示してもよい。領域２９０３にはステップＳ２８０１で抽出した、追加対象となる撮影プロトコル情報の候補が一覧表示される。次にステップＳ２８０３へ進む。
【０２０９】
ステップＳ２８０３にて、領域２９０２に表示された撮影指示の内容や、その他様々な状況を鑑みた操作者からの操作入力に応じて、撮影プロトコル情報を追加するかどうかを判定する。追加しないと判定された場合、ステップＳ２８０４へ進み、追加すると判定された場合ステップＳ２８０５へ進む。
【０２１０】
ステップＳ２８０４にて、操作部１１３を介したキャンセルボタン２９０５を押下する操作入力に応じて、撮影指示に基づいた撮影がキャンセルされた旨を示すキャンセル指示を、キャンセル指示部２０８が検像端末１０３へ送信する。次に図７のステップＳ７０７へ進む。
【０２１１】
ステップＳ２８０５にて、操作者は操作部１１３を介して領域２９０３から適切な撮影プロトコル情報を選択し、更に決定ボタン２９０４が押下されることに応じて追加する撮影プロトコル情報を決定する。このとき撮影プロトコル情報を複数選択できてもよい。次に図７のステップＳ７０７へ進む。
【０２１２】
図７のステップＳ７０８の具体的な処理は、実施形態１の図９で説明したものと同様である。
【０２１３】
ステップＳ７０９において、表示部１１２に表示している撮影画面を表示更新する。ステップＳ７０８における位置指定部２１５の判定によって処理追加撮影プロトコル情報の挿入位置が異なるため、各挿入位置の撮影画面を図３０、３３にて示す。表示更新後、ステップＳ７０１へ戻る。
【０２１４】
図３０は、表示部１１２にて表示する、外部撮影指示による撮影プロトコル情報追加後の撮影画面の一例を示している。図３０の画面が表示に至るまでの流れを具体的に説明する。まず表示部１１２に表示されているのは図３の撮影画面３０１であったとする。図５のステップＳ５０５において、操作部１１３の操作を介した転送ボタン３０４を押下する操作入力に応じて、図３の撮影プロトコル情報３０７で撮影した画像を検像端末１０３へ転送したとする。その後、図２７のステップＳ２７０５にて検像端末１０３で腹部の撮影も追加で必要と判定し、ステップＳ２７０４にて撮影指示を送信したとする。このとき指示優先度は低に設定されたものとする。その後図７のステップＳ７０６を経て、図２８のステップＳ２８０５にて撮影部位及び姿勢が「腹部正面−臥位」の撮影プロトコル情報を指定したとする。次にステップＳ７０８を経て、まずステップＳ９０１では、撮影準備状態の撮影プロトコル情報３１１があるためステップＳ９０２へ進み、ステップＳ９０２では、撮影指示に設定された優先度が低であるためステップＳ９０５へ進む。ステップＳ９０５では撮影準備状態の撮影プロトコル情報３１１の撮影部位と姿勢「胸部正面−立位」が、ステップＳ２８０５で指定した撮影プロトコル情報の撮影部位と姿勢「腹部正面−臥位」と異なるため、ステップＳ９０７へ進む。ステップＳ９０７では、ステップＳ２８０５で指定した撮影プロトコル情報の撮影部位と姿勢「腹部正面−臥位」と同じ撮影部位と姿勢の撮影プロトコル情報が存在しないため、ステップＳ９１２へ進む。ステップＳ９１２にて撮影プロトコル情報のリストの末尾にステップＳ２８０５で指定した撮影プロトコル情報を挿入する。こうした処理の流れを経た結果、ステップＳ７０９にて表示部１１２に表示されたものが図３０に示す撮影画面３０１である。３００２はステップＳ９１２で挿入した撮影プロトコル情報である。撮影プロトコル情報のリストの末尾に挿入されていることが分かる。また、撮影プロトコル情報３００２の撮影部位と姿勢が、ステップＳ２８０５で指定した「腹部正面−臥位」であることが分かる。撮影プロトコル情報３００２には、外部からの撮影指示により追加されたことが分かる識別子３００３が表示されている。
【０２１５】
図３１は、表示部１１２にて表示する、外部撮影指示による撮影プロトコル情報追加後の撮影画面の一例を示している。図３１の画面が表示に至るまでの流れを具体的に説明する。まず表示部１１２に表示されているのは図４の撮影画面３０１であったとする。図５のステップＳ５０５において、操作部１１３の操作を介して転送ボタン３０４が押下されることに応じて図４の撮影プロトコル情報４０２で撮影した画像を検像端末１０３へ転送したとする。その後、図２７のステップＳ２７０５にて検像端末１０３で腹部の撮影も追加で必要と判定し、ステップＳ２７０４にて撮影指示を送信したとする。このとき指示優先度は低に設定されたものとする。その後図７のステップＳ７０６を経て、図２８のステップＳ２８０５にて撮影部位及び姿勢が「腹部正面−臥位」の撮影プロトコル情報を指定したとする。次にステップＳ７０８を経て、まずステップＳ９０１では、撮影準備状態の撮影プロトコル情報が存在しないためステップＳ９０３へ進み、ステップＳ９０３では、撮影指示に設定された優先度が低であるためステップＳ９０７へ進む。ステップＳ９０７では、ステップＳ２８０５で指定した撮影プロトコル情報の撮影部位と姿勢「腹部正面−臥位」と同じ撮影部位と姿勢の撮影プロトコル情報が存在しないため、ステップＳ９１２へ進む。ステップＳ９１２にて撮影プロトコル情報のリストの末尾にステップＳ２８０５で指定した撮影プロトコル情報を挿入する。こうした処理の流れを経た結果、ステップＳ７０９にて表示部１１２に表示されたものが図３１に示す撮影画面３０１である。３１０２はステップＳ９１２で挿入した撮影プロトコル情報である。撮影プロトコル情報のリストの末尾に挿入されていることが分かる。また、撮影プロトコル情報３１０２の撮影部位と姿勢が、ステップＳ２８０５で指定した「腹部正面−臥位」であることが分かる。撮影プロトコル情報３１０２には、外部からの撮影指示により追加されたことが分かる識別子３１０３が表示されている。
【０２１６】
以上説明したように実施形態５によれば、検査中に外部から撮影指示を受けた場合に、追加撮影プロトコル情報の選択画面を自動で表示する。その際撮影指示の優先度や理由を知ることができる。操作者の不注意による撮影プロトコル情報追加忘れを防止できる。
【０２１７】
また、検査オーダ情報内の撮影プロトコル情報数や照射回数が上限であるために撮影プロトコル情報を追加できない場合や、操作者の判定で撮影プロトコル情報を追加しなかった場合、追加撮影プロトコル情報での撮影を操作者の判定で実施しなかった場合に、撮影指示を送信した側へキャンセル指示を自動で送信する。これにより、撮影プロトコル情報を追加できなかった旨を忘れずに伝達できる。
【０２１８】
また、優先度の高い撮影指示を受けた場合に追加撮影プロトコル情報を適切な位置へ挿入し、優先的に撮影できるようになる。更に優先度が高くない場合は同じ撮影部位及び姿勢の撮影プロトコル情報の直前に追加撮影プロトコル情報を挿入するため、再撮影による患者の姿勢変更の負担を軽減できる。
【０２１９】
総じて外部から撮影指示を受けたときに発生しうる不都合を解消し、撮影作業の正確性が向上する。
【０２２０】
〔実施形態６〕
次に実施形態６について説明する。
【０２２１】
実施形態５との差異以外、実施形態６は実施形態５と同様であるため省略する。ここでは差異のみについて説明する。
【０２２２】
ステップＳ２７０４において送信する撮影指示には、実施形態５の項目の他、撮影条件が含まれる。撮影条件には撮影部位や姿勢が含まれる。
【０２２３】
まずステップＳ２８０１にて、撮影プロトコル情報候補抽出部２８０１が図示しない撮影プロトコル情報候補記憶部から、撮影指示記憶部２０６に記憶されている撮影条件に合致する撮影プロトコル情報候補を抽出する。次にステップＳ２８０２へ進む。
【０２２４】
ステップＳ２８０２にて、表示部１１２に図３２に示す画面３４０１を表示する。画面３４０１上には、３２０２に示すように、撮影指示記憶部２０６に記憶してある撮影指示の優先度や理由を表示してもよい。３２０３にはステップＳ２８０１で抽出した、追加対象となる撮影プロトコル情報の候補を一覧表示する。図３２の例では、ステップＳ２７０４にて撮影条件として撮影部位が「腹部」に指定されたもので、撮影部位「腹部」に合致する撮影プロトコル情報候補だけが３２０３に表示されていることが分かる。なお図３２では、実施形態５を説明した図２９と同じ構成のものには同じ符号を付している。次にステップＳ２８０３へ進む。
【０２２５】
以上説明したように実施形態６によれば、検査中に外部から撮影指示を受けた場合に、追加撮影プロトコル情報の選択画面を自動で表示する。その際撮影プロトコル情報候補一覧には撮影指示により指定された撮影条件に合致する撮影プロトコル情報だけが表示され、選択可能である。更に撮影指示の優先度や理由を知ることができる。操作者の不注意による、撮影条件の異なる撮影プロトコル情報の誤選択や、撮影プロトコル情報追加忘れを防止できる。
【０２２６】
また、検査オーダ情報内の撮影プロトコル情報数や照射回数が上限であるために撮影プロトコル情報を追加できない場合や、操作者の判定で撮影プロトコル情報を追加しなかった場合、追加撮影プロトコル情報での撮影を操作者の判定で実施しなかった場合に、撮影指示を送信した側へキャンセル指示を自動で送信する。これにより撮影プロトコル情報を追加できなかった旨を忘れずに伝達できる。
【０２２７】
また、優先度の高い撮影指示を受けた場合に追加撮影プロトコル情報を適切な位置へ挿入し、優先的に撮影できるようになる。更に優先度が高くない場合は同じ撮影部位及び姿勢の撮影プロトコル情報の直前に追加撮影プロトコル情報を挿入するため、再撮影による患者の姿勢変更の負担を軽減できる。
【０２２８】
総じて外部から撮影指示を受けたときに発生しうる不都合を解消し、撮影作業の正確性が向上する。
【０２２９】
〔その他の実施形態〕
上述の実施形態では、検査中の検査オーダ情報に対する撮影プロトコル情報の追加を行うこととしたが、一旦検査が開始され、その後終了前に保留された保留中の検査オーダ情報に対しても検査管理部２５２により同様の処理を行うことができる。この場合、検査中の検査オーダ情報が終了した後に、表示制御部２５３により検査オーダ情報のリストを表示させる。これと並行して、検査管理部２５２はかかるリスト中の検査であって、保留中の検査オーダ情報であり、かつ外部からの追加撮影の指示に応じて撮影プロトコル情報が追加された検査オーダ情報を特定する。そして、表示制御部２５３はかかる撮影プロトコル情報が追加された保留中の検査オーダ情報を、撮影プロトコルが追加されていない保留中の検査オーダ情報とは区別可能に表示させる。このようにすることで、保留中の検査オーダ情報についても撮影プロトコル情報を追加することができる。
【０２３０】
上述の機能及び処理を行う撮影制御装置１１１は単体の装置であったが、これを複数の装置を含む撮影制御システムにより実現することとしてもよい。例えば係る撮影制御システムには、前記撮影情報に含まれる第一の撮影プロトコル情報に基づいて撮影画像を取得するセンサ１０９を含んでいてもよい。例えば追加撮影の撮影プロトコル情報を取得する機能は、複数の撮影制御システムで共通の装置としてもよい。なお、撮影制御システムに含まれる複数の装置は、例えば同一の院内、国に存在していなくてもよく、かかる複数の装置が例えばイーサネット(登録商標)ケーブル等で互いに通信可能に接続されていればよい。
【０２３１】
上述の実施形態では、例えば検像端末１０３が追加撮影の指示情報を送信することとしていたが、これに限らず、ＰＡＣＳ１０４の画像表示装置が上述した検像端末の機能を有し、追加撮影の指示情報を送信することとしてもよい。
【０２３２】
上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する形態も、本発明の実施形態に含まれる。
【０２３３】
本発明の実施形態には、上述の実施形態を組み合わせた形態も含まれる。
【図１】
0006719893.tif 000002
【図２】
0006719893.tif 000003
【図３】
0006719893.tif 000004
【図４】
0006719893.tif 000005
【図５】
0006719893.tif 000006
【図６】
0006719893.tif 000007
【図７】
0006719893.tif 000008
【図８】
0006719893.tif 000009
【図９】
0006719893.tif 000010
【図１０】
0006719893.tif 000011
【図１１】
0006719893.tif 000012
【図１２】
0006719893.tif 000013
【図１３】
0006719893.tif 000014
【図１４】
0006719893.tif 000015
【図１５】
0006719893.tif 000016
【図１６】
0006719893.tif 000017
【図１７】
0006719893.tif 000018
【図１８】
0006719893.tif 000019
【図１９】
0006719893.tif 000020
【図２０】
0006719893.tif 000021
【図２１】
0006719893.tif 000022
【図２２】
0006719893.tif 000023
【図２３】
0006719893.tif 000024
【図２４】
0006719893.tif 000025
【図２５】
0006719893.tif 000026
【図２６】
0006719893.tif 000027
【図２７】
0006719893.tif 000028
【図２８】
0006719893.tif 000029
【図２９】
0006719893.tif 000030
【図３０】
0006719893.tif 000031
【図３１】
0006719893.tif 000032
【図３２】
0006719893.tif 000033